(57)【要約】【課題】  複数の番組選択装置を好適に使用する。【解決手段】  本願は、番組選択装置であって、所定の番組を選択するための情報を出力する制御回路と、前記情報に基づいて、前記所定の番組を再生するための信号を選択して出力する選択回路と、他の番組選択装置に情報を送信する送信回路と、を有しており、前記他の番組選択装置に送信する情報は、前記他の番組選択装置に対して、前記他の番組選択装置が対応する再生装置で前記所定の番組を再生するために前記所定の番組を選択させる情報を少なくとも含んでいる構成を開示する。【選択図】  図１
2005198257.tif 000002
【特許請求の範囲】
【請求項１】
番組選択装置であって、
所定の番組を選択するための情報を出力する制御回路と、
前記情報に基づいて、前記所定の番組を再生するための信号を選択して出力する選択回路と、
他の番組選択装置に情報を送信する送信回路と、を有しており、
前記他の番組選択装置に送信する情報は、前記他の番組選択装置に対して、前記他の番組選択装置が対応する再生装置で前記所定の番組を再生するために前記所定の番組を選択させる情報を少なくとも含んでいる番組選択装置。
【請求項２】
前記所定の番組は、前記番組選択装置と、前記他の番組選択装置の両方が選択可能な番組である請求項１に記載の番組選択装置。
【請求項３】
前記制御回路は、前記他の番組選択装置とこの制御回路を有する前記番組選択装置とがそれぞれ選択できる番組の情報に基づいて、前記他の番組選択装置とこの制御回路を有する前記番組選択装置とが共通に選択可能な番組を前記所定の番組として指定する情報を出力する請求項１又は２に記載の番組選択装置。
【請求項４】
前記制御回路は、前記他の番組選択装置とこの制御回路を有する前記番組選択装置とが共通に選択できる番組の情報を示す共通選択番組情報に基づいて、前記他の番組選択装置とこの制御回路を有する前記番組選択装置とが共通に選択可能な番組を前記所定の番組として指定する情報を出力する請求項１又は２に記載の番組選択装置。
【請求項５】
前記選択回路は、受信できる放送信号から所定のチャンネルで送られてくる前記所定の番組を再生するための信号を選択して出力する回路である請求項１乃至４のいずれか１項に記載の番組選択装置。
【請求項６】
前記選択回路は、記憶装置に記憶されている信号の中から、前記所定の番組を再生するための信号を選択して出力する回路である請求項１乃至５のいずれか１項に記載の番組選択装置。
【請求項７】
番組選択装置であって、
番組を指定する信号に基づいて選択されるべき番組が、所定の他の番組選択装置で選択可能な番組ではない場合に、所定の制御信号を発生する制御回路と、
前記制御信号に基づいて、前記他の番組選択装置が前記番組を選択できないことを使用者に知覚させるための信号を発生する回路と、
を有することを特徴とする番組選択装置。
【請求項８】
番組選択装置であって、
放送信号を受信し、所定のチャンネルを選択する選択回路と、
情報を送信する送信する送信回路と、を有しており、
前記情報は、前記選択回路で選択可能なチャンネルの情報及び／もしくは前記選択回路でチャンネルを選択することで受信可能な番組の情報である番組選択装置。
【請求項９】
前記送信回路は、前記情報を他の番組選択装置に送信する回路である請求項８に記載の番組選択装置。
【請求項１０】
番組選択装置であって、
他の番組選択装置からの信号に基づいて、所定の番組を選択するための情報を出力する制御回路と、
前記情報に基づいて、前記所定の番組を再生するための信号を選択して出力する選択回路と、
前記選択回路で、前記他の番組装置からの信号に基づく選択を行うことを前記他の番組選択装置に通知するための情報を送信する送信回路と、
を有する番組選択装置。
【請求項１１】
番組選択装置であって、
他の番組選択装置からの信号に基づいて、所定の番組を選択するための情報を出力する制御回路と、
前記情報に基づいて、前記所定の番組を再生するための信号を選択して出力する選択回路と、
前記選択回路で、前記他の番組装置からの信号に基づく選択を行わない場合に、該選択を行わないことを前記他の番組選択装置に通知するための情報を送信する送信回路と、
を有する番組選択装置。
【請求項１２】
番組再生装置であって、
所定の番組を選択するための情報を出力する制御回路と、
前記情報に基づいて、前記所定の番組を再生するための信号を選択して出力する選択回路と、
前記選択回路が出力する信号を再生する再生装置と、
他の番組再生装置に情報を送信する送信回路と、
を有しており、
前記他の番組再生装置に送信する情報は、前記他の番組再生装置に対して、前記他の番組再生装置が有する再生装置で前記所定の番組を再生するために前記所定の番組を選択させる情報を少なくとも含んでいることを特徴とする番組再生装置。
【請求項１３】
番組再生装置であって、
放送信号を受信し、所定のチャンネルを選択する選択回路と、
前記選択回路が出力する信号を再生する再生装置と、
情報を送信する送信する送信回路と、
を有しており、
前記情報は、前記選択回路で選択可能なチャンネルの情報及び／もしくは前記選択回路でチャンネルを選択することで受信可能な番組の情報である番組再生装置。
【請求項１４】
番組再生装置であって、
他の番組選択装置からの信号に基づいて、所定の番組を選択するための情報を出力する制御回路と、
前記情報に基づいて、前記所定の番組を再生するための信号を選択して出力する選択回路と、
前記選択回路が出力する信号を再生する再生装置と、
前記選択回路で、前記他の番組装置からの信号に基づく選択を行うことを前記他の番組選択装置に通知するための情報を送信する送信回路と、
を有する番組再生装置。
【請求項１５】
番組再生装置であって、
他の番組選択装置からの信号に基づいて、所定の番組を選択するための情報を出力する制御回路と、
前記情報に基づいて、前記所定の番組を再生するための信号を選択して出力する選択回路と、
前記選択回路が出力する信号を再生する再生装置と、
前記選択回路で、前記他の番組装置からの信号に基づく選択を行わない場合に、該選択を行わないことを前記他の番組選択装置に通知するための情報を送信する送信回路と、
を有する番組再生装置。
【請求項１６】
番組選択装置を制御するためのプログラムであって、
所定の番組を再生するための信号を再生装置に対して出力するステップと、
他の番組選択装置が対応する再生装置で前記所定の番組を再生できるように、前記所定の番組を前記他の番組選択装置に選択させるための情報を送信するステップ、
とを実行できるように構成されているプログラム。
【請求項１７】
番組選択装置を制御するためのプログラムであって、
番組を指定する信号に基づいて選択されるべき番組が、所定の他の番組選択装置で選択可能な番組ではない場合に、所定の制御信号を発生するステップと、
前記制御信号に基づいて、前記他の番組選択装置が前記番組を選択できないことを使用者に知覚させるための信号を発生するステップと、
を実行できるように構成されているプログラム。
【請求項１８】
番組選択装置を制御するためのプログラムであって
放送信号を受信し、所定のチャンネルを選択するステップと、
情報を送信する送信するステップと、
を実行できるように構成されており、
前記情報は、前記選択ステップで選択可能なチャンネルの情報及び／もしくは前記選択ステップでチャンネルを選択することで受信可能な番組の情報であるプログラム。
【請求項１９】
番組選択装置を制御するためのプログラムであって、
他の番組選択装置からの信号に基づいて、所定の番組を選択するための情報を出力するステップと、
前記情報に基づいて、前記所定の番組を再生するための信号を選択して出力するステップと、
前記他の番組装置からの信号に基づく選択を行うことを前記他の番組選択装置に通知するための情報を送信するステップと、
を実行できるように構成されているプログラム。
【請求項２０】
番組選択装置を制御するためのプログラムであって、
他の番組選択装置からの信号に基づいて、所定の番組を選択するための情報を出力するステップと、
前記情報に基づいて、前記所定の番組を再生するための信号を選択して出力するステップと、
前記他の番組装置からの信号に基づく選択を行わない場合に、該選択を行わないことを前記他の番組選択装置に通知するための情報を送信するステップと、
を実行できるように構成されているプログラム。
【発明の詳細な説明】
【技術分野】
【０００１】
本発明は、離れたＴＶ受信機で同じ番組を受信するように複数のＴＶ受信機を協調動作させる番組選択装置に関する。
【背景技術】
【０００２】
同じ番組を受信するように複数のＴＶ受信機を協調動作させるＴＶ受信システムは、従来、存在しない。
【特許文献１】特開２００１−７７２４号公報
【発明の開示】
【発明が解決しようとする課題】
【０００３】
本発明は、複数の番組選択装置を用いた新規な構成を提案することを課題の一つとする。
【課題を解決するための手段】
【０００４】
本願に係わる発明の一つは以下のように構成される。番組選択装置であって、所定の番組を選択するための情報を出力する制御回路と、前記情報に基づいて、前記所定の番組を再生するための信号を選択して出力する選択回路と、他の番組選択装置に情報を送信する送信回路と、を有しており、前記他の番組選択装置に送信する情報は、前記他の番組選択装置に対して、前記他の番組選択装置が対応する再生装置で前記所定の番組を再生するために前記所定の番組を選択させる情報を少なくとも含んでいる番組選択装置。
【０００５】
前記制御回路は、本発明を実施するための処理を行うために専用に設計された回路であるＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ  アプリケーションスペシフィックインテグレーテッドサーキット）でもよいし、プログラムを実行することで本発明を実施するための制御を行う信号処理回路であってもよいし、また、実行する論理処理を再構築可能なデバイス（いわゆるプログラマブルロジックデバイスとして知られるデバイスであり、フィールドプログラマブルゲートアレイや、コンプレックスプログラマブルロジックデバイスがこのデバイスに相当する）を用いた回路を用いることもできる。
【０００６】
この番組選択装置において、前記所定の番組は、前記番組選択装置と、前記他の番組選択装置の両方が選択可能な番組である構成を採用できる。
【０００７】
また前記制御回路は、前記他の番組選択装置とこの制御回路を有する前記番組選択装置とがそれぞれ選択できる番組の情報に基づいて、前記他の番組選択装置とこの制御回路を有する前記番組選択装置とが共通に選択可能な番組を前記所定の番組として指定する情報を出力する構成を採用できる。
【０００８】
また前記制御回路は、前記他の番組選択装置とこの制御回路を有する前記番組選択装置とが共通に選択できる番組の情報を示す共通選択番組情報に基づいて、前記他の番組選択装置とこの制御回路を有する前記番組選択装置とが共通に選択可能な番組を前記所定の番組として指定する情報を出力する構成を採用できる。
【０００９】
制御回路は、他の番組選択装置と自らが属する番組選択装置とがそれぞれ選択できる番組の情報に基づいて、所定の番組を指定する情報である番組指定情報を発生することができる。番組指定情報としては、種々の情報を使用することができ、例えばその番組を伝送するチャンネルの情報を使用することもできる。またこの番組選択装置と他の番組選択装置とがそれぞれ選択できる番組の情報から、共通に選択できる番組を抽出する構成としては、共通に選択できる番組を抽出し、該抽出した情報を共通番組選択情報としてこの制御回路内、もしくは他の記憶デバイス内に保持しておき、その共通番組選択情報を用いて、共通に選択できる番組を指定する情報を生成してもよい。この共通番組選択情報は、この番組選択装置内で、例えば前記制御回路によって生成してもよいし、もしくはこの番組選択装置外（例えば前記他の番組選択装置や、それ以外の装置など）から供給されるものであってもよい。
【００１０】
また前記選択回路は、受信できる放送信号から所定のチャンネルで送られてくる前記所定の番組を再生するための信号を選択して出力する回路である構成を採用できる。
【００１１】
また前記選択回路は、記憶装置に記憶されている信号の中から、前記所定の番組を再生するための信号を選択して出力する回路である構成を採用できる。
【００１２】
本願に係わる発明の一つは以下のように構成される。番組選択装置であって、番組を指定する信号に基づいて選択されるべき番組が、所定の他の番組選択装置で選択可能な番組ではない場合に、所定の制御信号を発生する制御回路と、前記制御信号に基づいて、前記他の番組選択装置が前記番組を選択できないことを使用者に知覚させるための信号を発生する回路とを有する番組選択装置。
【００１３】
本願に係わる発明の一つは以下のように構成される。番組選択装置であって、放送信号を受信し、所定のチャンネルを選択する選択回路と、情報を送信する送信する送信回路と、を有しており、前記情報は、前記選択回路で選択可能なチャンネルの情報及び／もしくは前記選択回路でチャンネルを選択することで受信可能な番組の情報である番組選択装置。
【００１４】
ここで前記送信回路は、前記情報を他の番組選択装置に送信する回路である構成を採用できる。なお他の番組選択装置に前記情報を送信するにあたって、中継装置や信号処理装置を経由して送信することもできる。従って、その情報を経由する中継装置や信号処理装置で、該情報を必要とする番組選択装置などの装置と、前記情報を送信する番組選択装置と、を認識できているのであれば、前記情報を送信する番組選択装置においては、その情報の送信先として、その情報を必要とする番組選択装置などの他の装置を指定して送信する必要はなく、前記中継装置や前記信号処理装置に対して情報を送信すればよい。その場合は、前記中継装置や前記信号処理装置においてその情報を必要とする番組選択装置などの他の装置を宛先として指定してその情報を送信すればよい。すなわち本願において、情報を他の番組選択装置に送信する、と言うとき、これは送信する情報の宛先を前記他の番組選択装置と指定して送信する構成に限るものではない。
【００１５】
本願に係わる発明の一つは以下のように構成される。番組選択装置であって、他の番組選択装置からの信号に基づいて、所定の番組を選択するための情報を出力する制御回路と、前記情報に基づいて、前記所定の番組を再生するための信号を選択して出力する選択回路と、前記選択回路で、前記他の番組装置からの信号に基づく選択を行うことを前記他の番組選択装置に通知するための情報を送信する送信回路と、を有する番組選択装置。
【００１６】
本願に係わる発明の一つは以下のように構成される。番組選択装置であって、他の番組選択装置からの信号に基づいて、所定の番組を選択するための情報を出力する制御回路と、前記情報に基づいて、前記所定の番組を再生するための信号を選択して出力する選択回路と、前記選択回路で、前記他の番組装置からの信号に基づく選択を行わない場合に、該選択を行わないことを前記他の番組選択装置に通知するための情報を送信する送信回路と、を有する番組選択装置。
【００１７】
本願に係わる発明の一つは以下のように構成される。番組再生装置であって、所定の番組を選択するための情報を出力する制御回路と、前記情報に基づいて、前記所定の番組を再生するための信号を選択して出力する選択回路と、  前記選択回路が出力する信号を再生する再生装置と、他の番組再生装置に情報を送信する送信回路と、を有しており、前記他の番組再生装置に送信する情報は、前記他の番組再生装置に対して、前記他の番組再生装置が有する再生装置で前記所定の番組を再生するために前記所定の番組を選択させる情報を少なくとも含んでいる番組再生装置。
【００１８】
本願に係わる発明の一つは以下のように構成される。番組再生装置であって、放送信号を受信し、所定のチャンネルを選択する選択回路と、前記選択回路が出力する信号を再生する再生装置と、情報を送信する送信する送信回路と、を有しており、前記情報は、前記選択回路で選択可能なチャンネルの情報及び／もしくは前記選択回路でチャンネルを選択することで受信可能な番組の情報である番組再生装置。
【００１９】
本願に係わる発明の一つは以下のように構成される。番組再生装置であって、他の番組選択装置からの信号に基づいて、所定の番組を選択するための情報を出力する制御回路と、前記情報に基づいて、前記所定の番組を再生するための信号を選択して出力する選択回路と、前記選択回路が出力する信号を再生する再生装置と、前記選択回路で、前記他の番組装置からの信号に基づく選択を行うことを前記他の番組選択装置に通知するための情報を送信する送信回路と、を有する番組再生装置。
【００２０】
本願に係わる発明の一つは以下のように構成される。番組再生装置であって、他の番組選択装置からの信号に基づいて、所定の番組を選択するための情報を出力する制御回路と、前記情報に基づいて、前記所定の番組を再生するための信号を選択して出力する選択回路と、前記選択回路が出力する信号を再生する再生装置と、前記選択回路で、前記他の番組装置からの信号に基づく選択を行わない場合に、該選択を行わないことを前記他の番組選択装置に通知するための情報を送信する送信回路と、を有する番組再生装置。
【００２１】
本願に係わる発明の一つは以下のように構成される。番組選択装置を制御するためのプログラムであって、所定の番組を再生するための信号を再生装置に対して出力するステップと、他の番組選択装置が対応する再生装置で前記所定の番組を再生できるように、前記所定の番組を前記他の番組選択装置に選択させるための情報を送信するステップと、を実行できるように構成されているプログラム。
【００２２】
本願に係わる発明の一つは以下のように構成される。番組選択装置を制御するためのプログラムであって、番組を指定する信号に基づいて選択されるべき番組が、所定の他の番組選択装置で選択可能な番組ではない場合に、所定の制御信号を発生するステップと、前記制御信号に基づいて、前記他の番組選択装置が前記番組を選択できないことを使用者に知覚させるための信号を発生するステップと、を実行できるように構成されているプログラム。
【００２３】
本願に係わる発明の一つは以下のように構成される。番組選択装置を制御するためのプログラムであって、放送信号を受信し、所定のチャンネルを選択するステップと、情報を送信する送信するステップと、を実行できるように構成されており、前記情報は、前記選択ステップで選択可能なチャンネルの情報及び／もしくは前記選択ステップでチャンネルを選択することで受信可能な番組の情報であるプログラム。
【００２４】
本願に係わる発明の一つは以下のように構成される。番組選択装置を制御するためのプログラムであって、他の番組選択装置からの信号に基づいて、所定の番組を選択するための情報を出力するステップと、前記情報に基づいて、前記所定の番組を再生するための信号を選択して出力するステップと、前記他の番組装置からの信号に基づく選択を行うことを前記他の番組選択装置に通知するための情報を送信するステップと、を実行できるように構成されているプログラム。
【００２５】
本願に係わる発明の一つは以下のように構成される。番組選択装置を制御するためのプログラムであって、他の番組選択装置からの信号に基づいて、所定の番組を選択するための情報を出力するステップと、前記情報に基づいて、前記所定の番組を再生するための信号を選択して出力するステップと、前記他の番組装置からの信号に基づく選択を行わない場合に、該選択を行わないことを前記他の番組選択装置に通知するための情報を送信するステップと、を実行できるように構成されているプログラム。
【発明の効果】
【００２６】
本発明によれば、複数の番組選択装置を連動させることができ、ユーザは、良好な視聴環境を享受できる。
【発明を実施するための最良の形態】
【００２７】
以下では複数のＴＶ受信機を用いた連携受信の構成を例示する。具体的に開示しているのは、一例をあげると、テレビジョン放送を受信するＴＶ受信機であって、外部のＴＶ受信機と通信する通信手段と、前記ＴＶ受信機の選局を操作するための操作手段と、前記操作手段による選局動作と同じ選局動作を実行するための制御コマンドを前記通信手段を介して前記外部のＴＶ受信機に送信するように制御する制御手段とを有することを特徴とするＴＶ受信機である。
【００２８】
またこのＴＶ受信機と、外部の被制御ＴＶ受信機から構成されるＴＶ受信システムを開示している。
【００２９】
また、テレビジョン放送を受信するＴＶ受信機であって、選局操作手段と、第１の番組情報を放送波から受信する手段と、外部のＴＶ受信機と接続する手段と、前記外部のＴＶ受信機からの第２の番組情報を取得する手段と、前記第２の番組情報を前記第３のＴＶ受信機へ送信する手段と、前記第２及び第３の番組情報を比較して、前記外部のＴＶ受信機と共通に視聴可能な番組情報の集合である共通視聴用番組表を作成する手段と、前記選局操作手段からの選局操作入力により、前記共通視聴用番組表から共通に視聴可能な番組を選択する手段と、該番組に選局を行う手段と、選局制御情報を前記外部のＴＶ受信機へ送信する手段と、を有することを特徴とするＴＶ受信機を開示している。
【００３０】
また、このＴＶ受信機において、前記共通視聴用番組表を作成する手段とは、同一時刻に放送される番組情報の一致する番組情報を抽出することである構成を開示している。また特に、前記共通視聴用番組表を作成する手段とは、同一時刻に放送される番組であって、チャンネル番号が一致する番組情報を抽出することであり、共通のチャンネル番号に従って配列される構成を開示している。また、前記共通視聴用番組表を作成する手段とは、同一時刻に放送される番組であって、番組名が一致する番組情報を抽出することであり、自番組情報によるチャンネル番号に従って配列され、第二の番組情報のチャンネル番号が格納される構成を開示している。また前記共通視聴用番組表を作成する手段とは、同一時刻に放送される番組であって、番組名が一致する番組情報を抽出することであり、前記第一の番組情報と前記二の番組情報のうち地域指定情報の大きい（小さい）値を有する番組情報によるチャンネル番号に従って配列される構成を開示している。
【００３１】
またこのＴＶ受信機において、前記選局操作とは、前記共通視聴用番組表上のチャンネル番号の上下方向順次選択である構成を開示しており、特には、前記選局制御情報とは、チャンネル番号の上下方向情報である構成を開示している。また前記選局制御情報とは、前記外部のＴＶ受信機のチャンネル番号である構成を開示している。
【００３２】
またこのＴＶ受信機において、前記選局操作とは、テンキーボタンの選択操作であって、前記共通視聴用番組表上のチャンネルの指定である構成を開示している。特に、前記選局制御情報とは、前記外部のＴＶ受信機のチャンネル番号である構成を開示している。
【００３３】
またこのＴＶ受信機において、前記共通視聴用番組表に基づいて、チャンネル選択操作を行う共通視聴動作モードと、自番組情報に基づいて、チャンネル選択操作を行う動作モードを有する構成を開示している。
【００３４】
またこのＴＶ受信機において、前記共通視聴動作モードへの切り替え時に、前記共通視聴用番組表を作成する構成を開示している。また共通視聴動作モードにおいては、一定時間ごとに前記共通視聴用番組表を更新する構成も開示している。
【００３５】
またテレビジョン放送を受信するＴＶ受信機であって、外部ＴＶ受信機と通信する通信手段と、複数のチャンネルの中から、前記外部ＴＶ受信機と共通に視聴可能な番組が放送されるチャンネルを選択する選択手段と、前記選択手段により選択されたチャンネルの間でチャンネル切り換えを許可し、前記選択されたチャンネル以外のチャンネルへの切り換えを禁止するように制御する制御手段とを有することを特徴とするＴＶ受信機を開示している。
【００３６】
またテレビジョン放送を受信するＴＶ受信機であって、選局操作手段と、第１の番組情報を放送波から受信する手段と、外部ＴＶ受信機と接続する手段と、前記外部ＴＶ受信機からの第２の番組情報を取得する手段と、前記第１の番組情報を前記第２のＴＶ受信機に送信する手段と、前記第１及び第２の番組情報を比較し、前記外部ＴＶ受信機と共通に視聴可能な番組情報の集合である共通視聴用番組表を作成する手段と、前記選局操作手段からの選局操作入力により、前記共通視聴用番組表から共通に視聴可能な番組を選択する番組選択手段と、前記番組選択手段により選択された番組の何れかを選局する選択手段と、選局制御情報を前記外部ＴＶ受信機へ送信する手段とを有し、共通視聴中の番組が終了した場合に共通視聴用番組表から番組を選択して共通視聴を行うことを特徴とするＴＶ受信機を開示している。
【００３７】
特にここで前記共通視聴用番組表は共通視聴不能情報を含む構成を開示している。また共通視聴中に、前記共通視聴用番組表から前記共通視聴不能情報を検出する構成も開示している。また前記共通視聴不能情報を検出した時、前記共通視聴用番組表から共通視聴が可能な番組情報を選択し、選局する構成も開示している。
【００３８】
また前記選択は、前記共通視聴用番組表中において、現在選局しているチャンネル番号の次に大きい（小さい）チャンネル番号を有する番組情報を選択する構成を開示している。
【００３９】
また前記選択は、放送開始時刻が現在時刻と等しい番組である構成を開示している。
【００４０】
また共通視聴中の番組が終了した場合に、共通視聴用番組表から番組を選択して共通視聴した第一のＴＶ受信機が、第二のＴＶ受信機へ選局制御情報を送信することを特徴とするＴＶ受信システムも開示している。
【００４１】
以下、図面を参照して、本発明の実施例を詳細に説明する。
【実施例１】
【００４２】
図１は、本発明の第１実施例に係るＴＶ受信機システムの構成図である。番組再生装置であるＴＶ受信機１０ａ，１０ｂは、インターネット１２を介して相互に接続している。１４ａ，１４ｂは視聴者自身を撮影するビデオカメラ、１６ａ，１６ｂは、撮影された相手視聴者の映像を表示する子画面、１８ａ，１８ｂは受信したＴＶ放送番組の視聴画面、２０ａ，２０ｂはテレビ放送電波を受信するアンテナ、２２ａ，２２ｂは、ＴＶ受信機１０ａ，１０ｂを操作し、視聴するＴＶ放送番組を切り替えるリモコンである。
【００４３】
図２は、リモコン２２ａ，２２ｂの平面図を示す。各リモコン２２ａ，２２ｂは、チャンネル・アップキー３０、チャンネル・ダウンキー３２、同時視聴開始キー３４及びテンキー３６を具備する。
【００４４】
図３は、ＴＶ受信機１０ａ，１０ｂの内部構成を示す。ＴＶ受信機１０ａ，１０ｂの本体４０にアンテナ端子４２があり、このアンテナ端子４２にアンテナ２０ａ，２０ｂが接続する。放送局は、映像情報、音声情報及びＳＩ（Ｓｅｒｖｉｃｅ  Ｉｎｆｏｒｍａｔｉｏｎ）情報（社団法人電波産業会標準規格（ＡＲＩＢ  ＳＴＤ−Ｂ１０）「ディジタル放送に使用する番組配列情報」記載）を符号化及び多重化した放送信号を出力する。ＳＩ情報の一つに、ＥＩＴ（Ｅｖｅｎｔ  Ｉｎｆｏｒｍａｔｉｏｎ  Ｔａｂｌｅ）と呼ばれるチャンネル毎の番組情報が記述された番組配列情報があり、ここには、チャンネル番号、番組名称及び放送日時などの、番組に関連する情報が記述されている。
【００４５】
放送局から出力される放送信号は、アンテナ２０ａ，２０ｂで受信され、アンテナ端子４２を介して選択回路である信号処理部４４に入力する。信号処理部４４は、入力信号から所定の周波数の信号を選択するチューナと、該チューナで選択した信号を音声情報，映像情報，その他の制御情報に分離するデマルチプレクサと，デマルチプレクサからの各信号を復号する復号器を有している。信号処理部４４はアンテナ端子４２からの放送信号から、制御部７４の指示により映像情報及び音声情報を復号した後、映像データ及び音声データをそれぞれ画像合成部５０及び音声合成部４６に出力する。また、信号処理部４４は、アンテナ端子４２からの放送信号からＳＩ情報を抽出し、ＳＩ情報記憶部５４に随時、出力する。ＳＩ情報記憶部５４は、信号処理部４４からのＳＩ情報を蓄積する。  
【００４６】
画像合成部５０は、複数の入力映像情報を複数の画面に表示するように合成処理し、表示部５２に出力する。音声合成部４６は、複数の入力音声情報を切り替え又は合成し、音声出力部４８に出力する。
【００４７】
表示装置である表示部５２は、入力した映像情報を画像として表示する。音声出力部４８は、入力した音声情報を外部へ出力する。
【００４８】
送信用番組情報記憶部５６は、制御回路である制御部７４の指示により、ＳＩ情報記憶部５４中の現時刻で放送しているＥＩＴ中の番組情報（チャンネル番号及び番組名称）のみから構成される番組情報データ列を保持する。番組情報データ列の一例を図４に示す。番組情報データ列は、チャンネル番号順に配置される。この番組情報データ列は、制御部７４の指示により通信部６２に送信される。なお、制御部７４は以降説明する各ステップを制御することになるが，ここでは制御部７４を、以下の制御を行うためのプログラムを記憶するメモリと，該プログラムを実行する信号処理回路で構成している。
【００４９】
カメラ映像音声入力部７０は、撮影している映像及び音声データを符号化部６８に出力する。符号化部６８は、入力されたデータをリアルタイムに符号化し、符号化データを通信部６２に出力する。
【００５０】
送信回路及び受信回路である通信部６２は、符号化部６８からの符号化されたカメラ映像音声情報をインターネット１２を介して相手のＴＶ受信機に送信し、インターネット１２を介して相手のＴＶ受信機から受信した、符号化されたカメラ映像音声情報を、復号化部６０に出力する。
【００５１】
通信部６２はまた、制御部７４の指示により、番組情報取得要求をインターネット１２を介して相手のＴＶ受信機へ送信し、インターネット１２を介して相手のＴＶ受信機から受信した番組情報取得要求を制御部７４に出力する。
【００５２】
通信部６２はまた、制御部７４の指示により、送信用番組情報記憶部５６に保持する番組情報データ列（図４）を、インターネット１２を介して相手のＴＶ受信機へ送信し、インターネット１２を介して相手のＴＶ受信機から受信した図５に示すような番組情報データ列を、受信用番組情報記憶部６４に出力する。
【００５３】
通信部６２はまた、制御部７４の指示により、チャンネル・アップ／ダウンの選局操作通知を、インターネット１２を介して相手のＴＶ受信機へ送信し、インターネット１２を介して相手のＴＶ受信機から受信したチャンネル・アップ／ダウンの選局操作通知を制御部７４に出力する。
【００５４】
通信部６２はまた、制御部７４の指示により、番組情報取得開始信号及び合成処理開始信号等を、インターネット１２を介して相手のＴＶ受信機へ送信し、インターネット１２を介して相手のＴＶ受信機から受信した信号を制御部７４に出力する。
【００５５】
復号化部６０は、通信部６２から入力したビデオカメラ映像音声情報の符号化データをリアルタイムに復号化し、画像合成部５０に出力する。
【００５６】
受信用番組情報記憶部６４は、通信部６２から入力された番組情報データ列を保持する。この番組情報データ列は、図５に示すように、送信用番組情報記憶部５６に記憶されるデータ列と同様に、番組情報（チャンネル番号及び番組名称）のみからなる。
【００５７】
合成番組情報記憶部５８は、制御部７４の制御下で、送信用番組情報記憶部５６に記憶される番組情報データ列と、受信用番組情報記憶部６４に記憶される番組情報データ列とを合成して図６に示すような番組情報データ列を形成し、保持する。尚、合成処理の詳細は、後述する。
【００５８】
タイマ６６は、時間測定開始後、ＴＶ受信機に固有のタイマ値が経過すると、時間測定を停止し、タイマ終了を制御部７４に通知する。
【００５９】
リモコン受信部７２は、リモコン２２ａ又は２２ｂからのチャンネル・アップキー３０及びチャンネル・ダウンキー３２の押下信号を受信すると、キー操作に対応するチャンネル・アップ／ダウンの選局操作を制御部７４に通知する。また、リモコン受信部７２は、電源オンの後に初めて同時視聴開始キー３４の押下信号を受信したときには、同時視聴開始要求を制御部７４に通知する。
【００６０】
制御部７４の動作を詳細に説明する。制御部７４は、リモコン受信部７２からの同時視聴開始要求、又は、タイマ６６からのタイマ終了通知を受けると、通信部６２を介してマスター立候補要求を相手ＴＶ受信機に送信する。制御部７４は、番組情報取得要求を相手のＴＶ受信機に送信し、その応答として、相手のＴＶ受信機から図５に示すような番組情報データ列を取得し、受信用番組情報記憶部６４に保持する。制御部７４は、通信部６２を介して相手のＴＶ受信機から番組情報取得要求を受信すると、現時刻で放送しているＥＩＴ中の番組情報（チャンネル番号、開始時間、継続時間及び番組名称）のみをＳＩ情報記憶部５４から抽出して図４に示すような番組情報データ列を作成し、その番組情報データ列を送信用番組情報記憶部５６に出力すると同時に、通信部６２を介して相手のＴＶ受信機に返信する。尚、相手のＴＶ受信機も同様な処理を行い、図５に示す番組情報データ列を送信することは言うまでもない。
【００６１】
制御部７４は、送信用番組情報記憶部５６に記憶される図４に示す番組情報データ列と、受信用番組情報記憶部６４に記憶される図５に示す番組情報データ列とから、チャンネル番号と番組名称が共に一致する番組情報データだけを抽出して、図６に示す番組情報データ列を作成し、合成番組情報記憶部５８に保持し、同時視聴モードに切り替える。この時、同時視聴モードに切り替わったことをユーザに通知するため、アイコン等を表示部５２に表示してもよい。
【００６２】
制御部７４は、リモコン受信部７２からチャンネル・アップ／ダウンの選局操作通知を受けると、通信部６２を介して相手のＴＶ受信機にチャンネル・アップ／ダウンの選局操作通知を送信する。
【００６３】
制御部７４は、同時視聴モード中にリモコン受信部７２又は通信部６２からチャンネル・アップ／ダウンの選局操作通知を受けると、それがチャンネル・アップ操作通知の場合には、合成番組情報記憶部５８中の番組情報データ列のデータ番号をインクリメントした箇所の番組情報からチャンネル番号を参照し、信号処理部４４の選局を制御する。チャンネル・ダウン操作通知の場合、制御部７４は、合成番組情報記憶部５８中の番組情報データ列のデータ番号をデクリメントした箇所の番組情報からチャンネル番号を参照し、信号処理部４４の選局を制御する。
【００６４】
制御部７４は、通信部６２、信号処理部４４、ＳＩ情報記憶部５４、画像合成部５０、音声合成部４６、送信用番組情報記憶部５６、復号化部６０、受信用番組情報記憶部６４、合成番組情報記憶部５８及びタイマ６６を統合的に制御する。
【００６５】
図１、図７、図８及び図９を参照して、本実施例におけるＴＶ受信機間の処理シーケンス及び双方のＴＶ受信機の表示形態を説明する。
【００６６】
ユーザが、電源オンの後に初めて、ＴＶ受信機１０ａのリモコン２２ａの同時視聴開始キー３４を押下すると（Ｓ１０１）、ＴＶ受信機１０ａは、タイマ６６をスタートし（Ｓ１０２）、同時に、番組情報処理のマスターになることを通知するマスター立候補要求をＴＶ受信機１０ｂに送信する（Ｓ１０３）。ＴＶ受信機１０ｂはＯＫを返信する（Ｓ１０４）。
【００６７】
そして、ＯＫを受けたＴＶ受信機１０ａは、マスターを示すマスター・フラグを"１"にする（Ｓ１０５）。尚、ＴＶ受信機１０ａ，１０ｂともに、マスター・フラグの初期値は"０"である。
【００６８】
その後、ユーザが、ＴＶ受信機１０ｂの同時視聴開始キーを押下した場合（Ｓ１０６）、ＴＶ受信機１０ｂは同様にタイマを開始し（Ｓ１０７）、マスター立候補要求を送信する（Ｓ１０８）。この時、ＴＶ受信機１０ａは、既にマスター・フラグがマスターを示す"１"であるので、ＮＧを返信する（Ｓ１０９）。
【００６９】
Ｓ１０４の処理でＯＫを受信したＴＶ受信機１０ａは、番組情報取得要求をＴＶ受信機１０ｂに送信する（Ｓ１１０）。ＴＶ受信機１０ｂは、ＳＩ情報記憶部５４に保持するＳＩ情報から図５に示すような番組情報データ列を構築して、ＴＶ受信機１０ａに返信する（Ｓ１１１）。
【００７０】
次に、ＴＶ受信機１０ａは、番組情報取得要求の送信を促す番組情報取得開始信号をＴＶ受信機１０ｂに通知する（Ｓ１１２）。この信号に応じて、ＴＶ受信機１０ｂは、番組情報取得要求をＴＶ受信機１０ａに送信し（Ｓ１１３）、ＴＶ受信機１０ａは、同様に、番組情報データ列を構築してＴＶ受信機１０ｂに送信する（Ｓ１１４）。
【００７１】
次に、ＴＶ受信機１０ａは、合成処理開始信号をＴＶ受信機１０ｂに送信し（Ｓ１１５）、合成処理（Ｓ１１６）を開始し、同時視聴モードになる。合成処理開始信号を受信したＴＶ受信機１０ｂも、合成処理（Ｓ１１８）を開始し、同時視聴モードになる。
【００７２】
ＴＶ受信機１０ａの合成処理（Ｓ１１６）では、送信用番組情報記憶部５６中の図４に示すような番組情報データ列の０番目のデータ（１ｃｈ、ニュース）２０１に対して、受信用番組情報記憶部６４中の図５に示すような番組情報データ列中にチャンネル番号と番組名称の両方と一致するデータをサーチする。チャンネル番号と番組名称の両方が一致するデータがなければ、次に、送信用番組情報記憶部５６中の番組情報データ列の１番目のデータ（３ｃｈ、アフリカの神秘）２０２に対して同様に、受信用番組情報記憶部６４中の番組情報データ列中からチャンネル番号と番組名称の両方が一致するデータをサーチする。
図５に示す例では、（３ｃｈ、アフリカの神秘）２２２が一致するので、チャンネル番号"３ｃｈ"を合成番組情報記憶部５８に保持する。以降、同様な処理に従い、チャンネル番号と番組名称の両方が一致するデータ（６ｃｈ、プロ野球中継）及び（１０ｃｈ、ニュース）１０９を受信用番組情報記憶部６４の番組情報データ列中から抽出し、各チャンネル番号の小さい順に格納した図６に示すような番組情報データ列を作成し、合成番組情報記憶部５８に保持する。尚、本実施例では、チャンネル番号の小さい順に番組情報データ列を構成したが、他の順序で構成しても構わない。
【００７３】
ＴＶ受信機１０ｂの合成処理（Ｓ１１８）も、以上と同様の処理になり、その結果、ＴＶ受信機１０ｂでも、ＴＶ受信機１０ａの合成番組情報記憶部５８に記憶される番組情報データ列と同じ内容の番組情報データ列が作成され、ＴＶ受信機１０ｂの合成番組情報記憶部５８に格納される。尚、この時、ＴＶ受信機１０ｂの送信用番組情報記憶部５６には図４に示す番組情報データ列が格納され、受信用番組情報記憶部６４には図５に示す番組情報データ列が格納されている。
【００７４】
そして、ＴＶ受信機１０ａは、番組情報処理のマスターを放棄したことを示すためにマスター・フラグを"０"にする（Ｓ１１７）。
【００７５】
次に、ユーザが、ＴＶ受信機１０ａのリモコン２２ａでチャンネル・アップキーを操作すると（Ｓ１１９）、ＴＶ受信機１０ａは、チャンネル・アップの選局操作通知をＴＶ受信機１０ｂに送信する（Ｓ１２０）。そして、ＴＶ受信機１０ａは、合成番組情報記憶部５８に記憶される番組情報データ列の参照先を、０番目のデータ"３ｃｈ"２４１から１番目のデータ"６ｃｈ"２４２に変え、参照先である１番目のデータに格納されているチャンネル番号"６ｃｈ"を信号処理部４４で選局し（Ｓ１２１）、ＴＶ番組視聴画面１８ａに放送番組を表示する。尚、本実施例では、初期値の参照先は、上記のように０番目の番組情報データにしているが、他でも構わない。
【００７６】
チャンネル・アップの選局操作通知を通信部６２を介して受信したＴＶ受信機１０ｂは、同様に、合成番組情報記憶部５８に記憶される番組情報データ列の参照先を０番目のデータ"３ｃｈ"２４１から１番目のデータ"６ｃｈ"２４２に変え、参照先である１番目のデータに格納されているチャンネル番号６ｃｈを信号処理部４４で選局し（Ｓ１２２）、ＴＶ番組視聴画面１８ｂに放送番組を表示する。
【００７７】
これらの処理の結果として、図８に示すように、双方のＴＶ受信機１０ａ，１０ｂのＴＶ放送番組視聴画面１８ａ，１８ｂには、６ｃｈの番組"プロ野球中継"が表示される。  
【００７８】
ユーザが、ＴＶ受信機１０ｂのリモコン２２ｂでチャンネル・ダウンキー３２を操作すると（Ｓ１２３）、ＴＶ受信機１０ｂは、チャンネル・ダウンの選局操作通知をＴＶ受信機１０ａに送信する（Ｓ１２４）。ＴＶ受信機１０ｂは、合成番組情報記憶部５８に記憶される番組情報データ列の参照先を１番目のデータ"６ｃｈ"２４２から０番目のデータ"３ｃｈ"２４１に変え、参照先である０番目のデータに格納されているチャンネル番号３ｃｈを信号処理部４４で選局する（Ｓ１２５）、。これにより、ＴＶ番組視聴画面１８ｂに３ｃｈの放送番組が表示される。
【００７９】
チャンネル・ダウンの選局操作通知を通信部６２を介して受信したＴＶ受信機１０ａは、同様に、合成番組情報記憶部６４に記憶される番組情報データ列の参照先を１番目のデータ"６ｃｈ"２４２から０番目のデータ"３ｃｈ"２４１に変え、０番目のデータに格納されているチャンネル番号３ｃｈを信号処理部４４で選局する（Ｓ１２６）。これにより、ＴＶ番組視聴画面１８ａに３ｃｈの放送番組が表示される。
【００８０】
これらの処理の結果として、図９に示すように、双方のＴＶ受信機のＴＶ放送番組視聴画面１８ａ，１８ｂには、３ｃｈの番組"アフリカの神秘"が表示される。
【００８１】
この後、ＴＶ受信機１０ａは、タイマ６６からタイマ終了の通知を受けると（Ｓ１２７）、再びタイマ６６を開始し（Ｓ１２８）、上述したように、番組情報処理のマスターになることを通知するマスター立候補要求を相手のＴＶ受信機１０ｂに送信し（Ｓ１２９）、以降、同様な処理（Ｓ１３０）〜（Ｓ１３９）を繰り返す。尚、ＴＶ受信機１０ａ，１０ｂのの各タイマ値は、異なっていても何ら問題はない。
【００８２】
図１０は、ユーザが電源オンの後に初めて同時視聴開始キー３４を押した時、及びタイマ６６からタイマ終了の通知を受けた時に、ＴＶ受信機１０ａの制御部７４が行う処理を示すフローチャートである。
【００８３】
リモコン受信部７２からの同時視聴開始要求、又は、タイマ６６からのタイマ終了通知を受けると、ＴＶ受信機１０ａは、タイマ６６による時間測定を開始し（Ｓ２０２）、マスター立候補要求をＴＶ受信機１０ｂに送信する（Ｓ２０３）。その後、ＴＶ受信機１０ｂからの応答を受信する（Ｓ２０４）。応答がＮＧの場合には、処理を終了する（Ｓ２１６）。応答がＯＫの場合、ＴＶ受信機１０ａは、マスター・フラグの値を"１"にし（Ｓ１０５）、番組情報取得要求をＴＶ受信機１０ｂに送信する（Ｓ２０６）。ＴＶ受信機１０ｂから番組情報データ列を受信すると（Ｓ２０７）、ＴＶ受信機１０ａは、受信用番組情報記憶部６４にその番組情報データ列を上書きする（Ｓ２０８）。
【００８４】
次に、ＴＶ受信機１０ａは、番組情報取得開始信号をＴＶ受信機１０ｂに送信する（Ｓ２０９）。ＴＶ受信機１０ｂから番組情報取得要求を受信すると（Ｓ２１０）、ＴＶ受信機１０ａは、ＳＩ情報記憶部５４から現時刻に放送中の番組情報データ列を抽出し、送信用番組情報記憶部５６に上書きする（Ｓ２１１）。ＴＶ受信機１０ａは、送信用番組情報記憶部５６に記憶される番組情報データ列をＴＶ受信機１０ｂに送信する（Ｓ２１２）。次に、ＴＶ受信機１０ａは、合成処理開始信号をＴＶ受信機１０ｂに送信し（Ｓ２１３）、後述のフローチャートで説明する合成処理を開始する（Ｓ２１４）。その後、ＴＶ受信機１０ａは、マスター・フラグを"０"に戻し、処理を終了する（Ｓ２１５）。
【００８５】
図１１は、マスター立候補要求を受信した後にＴＶ受信機１０ｂの制御部７４が行う処理を示すフローチャートである。
【００８６】
相手のＴＶ受信機１０ａからマスター立候補要求を受信した後、マスター・フラグの値が"０"であるか否かを判断する（Ｓ２２２）。偽、即ちマスター・フラグが"１"なら、ＮＧを応答として返信し（Ｓ２３３）、処理を終了する。真、即ちマスター・フラグが"０"ならＯＫを応答として返信する（Ｓ２２３）。
【００８７】
次に、相手のＴＶ受信機１０ａから番組情報取得要求を受信すると（Ｓ２２４）、ＳＩ情報記憶部５４から現時刻に放送中の番組情報データ列を抽出し、送信用番組情報記憶部５６に上書きする（Ｓ２２５）。送信用番組情報記憶部５６に記憶される番組情報データ列を相手のＴＶ受信機１０ａに送信する（Ｓ２２６）。
【００８８】
相手のＴＶ受信機１０ａから番組情報取得開始信号を受信すると（Ｓ２２７）、番組情報取得要求を相手ＴＶ受信機１０ａに送信する（Ｓ２２８）。その後、相手のＴＶ受信機１０ａから番組情報データ列を受信し（Ｓ２２９）、受信用番組情報記憶部６４に上書きする（Ｓ２３０）。
【００８９】
相手のＴＶ受信機１０ａから合成処理開始信号を受信すると（Ｓ２３１）、後述のフローチャートで説明する合成処理を開始し（Ｓ２３２）、処理を終了する（Ｓ２３４）。
【００９０】
図１２は、制御部７４が実行する合成処理（Ｓ２１４，Ｓ２３２）を示すフローチャートである。データ列変数ｎの初期値は"０"である。ＭＡＸ＿ＤＡＴＡ＿ＮＵＭは、送信用番組情報記憶部５６の番組情報データ列の最大データ番号である。
【００９１】
データ列変数ｎが、ＭＡＸ＿ＤＡＴＡ＿ＮＵＭより大きい値かを判断し（Ｓ２５２）、真であれば、処理を終了する（Ｓ２６０）。偽、即ち、ｎの値がＭＡＸ＿ＤＡＴＡ＿ＮＵＭ以下であれば（Ｓ２５２）、送信用番組情報記憶部５６の番組情報データ列のｎ番目の番組情報データから、チャンネル番号及び番組名称を取り出す（Ｓ２５３）。
【００９２】
受信用番組情報記憶部６４の番組情報データ列にチャンネル番号の一致する番組情報データがあるか否かを判断し（Ｓ２５４）。偽、即ち、一致するものがなければ、Ｓ２５３で抽出した番組情報データを破棄し（Ｓ２５９）、Ｓ２５８にスキップする。真、即ち、一致するものがあれば、双方の番組情報データ中の番組名称が一致しているか否かを判断する（Ｓ２５５）。偽、即ち一致しなければ、Ｓ２５３で抽出した該番組情報データを破棄し（Ｓ２５９）、Ｓ２５８にスキップする。真、即ち一致していれば、合成番組情報記憶部５８の番組情報データ列のｍ番目に、Ｓ２５３の処理で抽出したチャンネル番号を格納し（Ｓ２５６）、ｍをインクリメントし（Ｓ２５７）、番組情報データ列変数ｎをインクリメントし（Ｓ２５８）、Ｓ２５２に戻り、以降、処理を繰り返す。尚、ｍの初期値は"０"とする。
【００９３】
図１３は、少なくとも片方のＴＶ受信機１０ａ又は１０ｂにおいて同時視聴開始キー３４が押された後にチャンネル・アップ／ダウンキー３０，３２が押された時に、制御部７４が実行する処理を示すフローチャートである。
【００９４】
まず、チャンネル・アップ／ダウンキー３０，３２が押下された時、押下されたのがチャンネル・アップキー３０かチャンネル・ダウンキー３２かを調べる（Ｓ２７２）。
【００９５】
チャンネル・アップキー３０であれば、データ列変数ｓをインクリメントする（Ｓ２７３）。データ列変数ｓがＧＯＵＳＥＩ＿ＭＡＸ＿ＤＡＴＡ＿ＮＵＭより大きい値かを判断し（Ｓ２７４）、真であれば、データ列変数ｓに"０"を代入する（Ｓ２７５）。偽であれば、Ｓ２７６にスキップする。尚、データ列変数ｓは、電源投入時には初期値"０"であるが、以降、値は初期化されない。ＧＯＵＳＥＩ＿ＭＡＸ＿ＤＡＴＡ＿ＮＵＭは、合成番組情報記憶部５８中の番組情報データ列の最大データ番号である。
【００９６】
次に、チャンネル・アップ操作通知を相手のＴＶ受信機に送信する（Ｓ２７６）。合成番組情報記憶部５８に記憶される番組情報データ列のｓ番目のデータに格納されているチャンネル番号に基づき、選局を行い（Ｓ２８１）、処理を終了する（Ｓ２８２）。
【００９７】
押下されたキーがチャンネル・ダウンキー３２であれば（Ｓ２７２）、データ列変数ｓをデクリメントする（Ｓ２７７）。データ列変数ｓがマイナスの値かどうかを判断し（Ｓ２７８）、真であれば、データ列変数ｓにＧＯＵＳＥＩ＿ＭＡＸ＿ＤＡＴＡ＿ＮＵＭを代入する（Ｓ２７９）。偽であれば、Ｓ２８０にスキップする。
【００９８】
チャンネル・ダウン操作通知を相手のＴＶ受信機へ送信する（Ｓ２８０）。合成番組情報記憶部５８に記憶される番組情報データ列のｓ番目のデータに格納されているチャンネル番号に基づき、選局を行い（Ｓ２８１）、処理を終了する（Ｓ２８２）。
【００９９】
以上の処理により、一方のリモコンによるチャンネル選局操作により、双方で同じ放送番組に切り替え、視聴することが可能になる。放送番組編成の異なる地域間でも、各ユーザに視聴可能な同じ放送番組を探す手間とその放送番組を選局するためのリモコン操作を必要とすることなしに、同じ放送番組を視聴することが可能になる。
【実施例２】
【０１００】
番組情報データ列を図１４、図１５及び図１６に示すように変更してもよい。
【０１０１】
図１４に示すように、ＳＩ情報記憶部５４に記憶される番組情報データ列にネットワークＩＤを追加する。ネットワークＩＤは、ＳＩ情報の一つであるＮＩＴ（Ｎｅｔｗｏｒｋ  Ｉｎｆｏｒｍａｔｉｏｎ  Ｔａｂｌｅ）と呼ばれる、放送ネットワーク全体のサービス構成を示す情報テーブルに記述されている。番組情報データ列は、０番目の欄にネットワークＩＤ３２９を格納し、以降の欄にはチャンネル番号及び番組名称を格納する。
【０１０２】
受信用番組情報記憶部６４は、通信部６２から入力される図１５に示すような番組情報データ列を保持する。この番組情報データ列は、送信用番組情報記憶部５６中のデータ列と同じ構成順である。
【０１０３】
このように番組情報データ列にネットワークＩＤを追加した場合の制御部７４の動作を説明する。
【０１０４】
制御部７４は、送信用番組情報記憶部５６と受信用番組情報記憶部６４の各番組情報データ列から、番組名称の一致する番組情報データだけを抽出し、図１６に示すように、番組名称毎にネットワークＩＤとチャンネル番号を格納した番組情報データ列を作成し、合成番組情報記憶部５８に保持する。
【０１０５】
また、制御部７４は、リモコン受信部７２又は通信部６２からチャンネル・アップ／ダウンの選局操作通知を受けた時、それがチャンネル・アップ操作通知なら、合成番組情報記憶部５８に記憶される番組情報データ列のデータ番号をインクリメントした箇所の番組情報から、送信用番組情報記憶部５６に記憶される番組情報データ列に格納されたネットワークＩＤに対応したチャンネル番号をサーチし、検出されたチャンネル番号を信号処理部４４で選局する。チャンネル・ダウン操作通知の場合、番組情報データ列のデータ番号をデクリメントした箇所の番組情報から、送信用番組情報記憶部５６に記憶される番組情報データ列に格納されたネットワークＩＤに対応したチャンネル番号をサーチし、検出されたチャンネル番号を信号処理部４４で選局する。
【０１０６】
図７、図１７及び図１８を参照して、実施例２におけるＴＶ受信機１０ａ，１０ｂ間の処理シーケンス及び双方のＴＶ受信機１０ａ，１０ｂの表示形態を説明する。
【０１０７】
ＴＶ受信機１０ａの合成処理（Ｓ１１６）では、まず、送信用番組情報記憶部５６に記憶される番組情報データ列（図１４）と受信用番組情報記憶部６４に記憶される番組情報データ列（図１５）において、０番目のデータである各ネットワークＩＤの"２"と"５"を比較し、送信用番組情報記憶部５６の番組情報データ列（図１４）からＩＤ番号の小さい順、即ち、ここでは１番目のデータ（１ｃｈ、ニュース）３１０を参照し、受信用番組情報記憶部６４の番組情報データ列（図１５）から番組名称の一致するデータ（９ｃｈ、ニュース）３３４を抽出する。そして、図１６に示すように、比較した値の小さいネットワークＩＤ"２"と、そのネットワークＩＤに対応するチャンネル番号"１ｃｈ"３４５、比較した値の大きいネットワークＩＤ"５"と、そのネットワークＩＤに対応するチャンネル番号"９ｃｈ"３４６を、合成番組情報記憶部５８の０番目のデータ３４１に格納する。
【０１０８】
以降、同様な処理に従い、番組名称の一致する"アフリカの神秘"、"プロ野球中継"及び"整形美人"を抽出し、図１６のコラム３４２、３４３、３４４に示すようにデータ列を構成し、合成番組情報記憶部５８に格納する。
【０１０９】
ＴＶ受信機１０ｂの合成処理（Ｓ１１８）も同様であり、ＴＶ受信機１０ａの合成番組情報記憶部５８中の番組情報データ列と等しい番組情報データ列が、ＴＶ受信機１０ｂの合成番組情報記憶部５８に格納される。。
【０１１０】
ユーザがＴＶ受信機１０ａのリモコン２２ａでチャンネル・アップキーを操作すると（Ｓ１１９）、ＴＶ受信機１０ａは、チャンネル・アップの選局操作通知をＴＶ受信機１０ｂに送信する（Ｓ１２０）。そして、ＴＶ受信機１０ａは、合成番組情報記憶部５８の番組情報データ列の参照先を、０番目のデータ（ネットワークＩＤ＝２、１ｃｈ；ネットワークＩＤ＝５、９ｃｈ）３４１から、１番目のデータ（ネットワークＩＤ＝２、３ｃｈ；ネットワークＩＤ＝５、３ｃｈ）３４２に変える。
【０１１１】
ＴＶ受信機１０ａは、参照中のデータ３４２から、ＴＶ受信機１０ａのネットワークＩＤ"２"に対応したチャンネル番号"３ｃｈ"を信号処理部４４で選局し（Ｓ１２１）、ＴＶ番組視聴画面１８ａに放送番組を表示する。尚、ＴＶ受信機１０ａのネットワークＩＤは、送信用番組情報記憶部５６の番組情報データ列（図１４）における０番目のデータ値である。ここでは、合成番組情報記憶部５８の番組情報データ列の参照開始データ（初期値）は、上記のように、０番目のデータにしているが、他でも構わない。
【０１１２】
チャンネル・アップの選局操作通知を通信部６２を介して受信したＴＶ受信機１０ｂは、同様に、合成番組情報記憶部５８の番組情報データ列の参照先を、０番目のデータ（ネットワークＩＤ＝２、１ｃｈ；ネットワークＩＤ＝５、９ｃｈ）３４１から１番目のデータ（ネットワークＩＤ＝２、３ｃｈ；ネットワークＩＤ＝５、３ｃｈ）３４２に変える。そして、参照中のデータ３４２から、ＴＶ受信機１０ｂのネットワークＩＤ"５"に対応したチャンネル番号"３ｃｈ"を信号処理部４４で選局し（Ｓ１２２）、ＴＶ番組視聴画面１８ｂに放送番組を表示する。この時、図１７に示すように、双方のＴＶ受信機１０ａ，１０ｂのＴＶ放送番組視聴画面１８ａ，１８ｂには、３ｃｈの番組（アフリカの神秘）が表示される。
【０１１３】
ユーザが、ＴＶ受信機１０ｂのリモコン２２ｂでチャンネル・ダウンキー３２を操作すると（Ｓ１２３）、ＴＶ受信機１０ｂは、チャンネル・ダウンの選局操作通知をＴＶ受信機１０ａに送信する（Ｓ１２４）。ＴＶ受信機１０ｂは、合成番組情報記憶部５８の番組情報データ列の参照先を、１番目のデータ（ネットワークＩＤ＝２、３ｃｈ；ネットワークＩＤ＝５、３ｃｈ）３４２から０番目のデータ（ネットワークＩＤ＝２、１ｃｈ；ネットワークＩＤ＝５、９ｃｈ）３４１に変える。そして、ＴＶ受信機１０ｂは、参照中のデータ３４１から、ＴＶ受信機１０ｂのネットワークＩＤ"５"に対応するチャンネル番号"９ｃｈ"を信号処理部４４で選局する（Ｓ１２５）。これにより、ＴＶ番組視聴画面１８ｂに９ｃｈの番組が表示される。
【０１１４】
チャンネル・ダウンの選局操作通知を通信部６２を介して受信したＴＶ受信機１０ａは、同様に、合成番組情報記憶部５８の番組情報データ列の参照先を、（ネットワークＩＤ＝２、３ｃｈ；ネットワークＩＤ＝５、３ｃｈ）３４２から（ネットワークＩＤ＝２、１ｃｈ；ネットワークＩＤ＝５、９ｃｈ）３４１に変える。そして、ＴＶ受信機１０ａは、参照中のデータ３４１から、ＴＶ受信機１０ａのネットワークＩＤ"２"に対応するチャンネル番号"１ｃｈ"を信号処理部４４で選局する（Ｓ１２５）。これにより、ＴＶ番組視聴画面１８ａに１ｃｈの番組が表示される。
【０１１５】
このような処理の結果として、図１８に示すように、ＴＶ受信機１０ａのＴＶ放送番組視聴画面１８ａには１ｃｈの"ニュース"が表示され、ＴＶ受信機１０ｂのＴＶ放送番組の視聴画面１８ｂには、９ｃｈの"ニュース"が表示される。
【０１１６】
図１９は、制御部７４による合成処理（Ｓ２１４，Ｓ２３２）を示すフローチャートである。ＭＡＸ＿ＤＡＴＡ＿ＮＵＭは、送信用番組情報記憶部５６の番組情報データ列の最大データ番号である。
【０１１７】
受信用番組情報記憶部６４の０番目のデータからネットワークＩＤ＝Ｘを抽出し（Ｓ３０２）、送信用番組情報記憶部５６の０番目のデータからネットワークＩＤ＝Ｙを抽出する（Ｓ３０３）。Ｘ＞Ｙであるかどうかを判断し（Ｓ３０４）、真である場合、送信用番組情報記憶部５６を第１の番組情報記憶部とし、受信用番組情報記憶部６４を第２の番組情報記憶部とする（Ｓ３０５）。また、Ｓ３０４の比較判断処理が偽である場合、受信用番組情報記憶部６４を第１の番組情報記憶部とし、送信用番組情報記憶部５６を第２の番組情報記憶部とする（Ｓ３０６）。
【０１１８】
次に、初期値が"０"であるデータ列変数ｎをインクリメントする（Ｓ３０７）。データ列変数ｎがＭＡＸ＿ＤＡＴＡ＿ＮＵＭより大きい値か否かを判断し（Ｓ３０８）、真あれば、処理を終了する（Ｓ３１５）。偽、つまりｎがＭＡＸ＿ＤＡＴＡ＿ＮＵＭ以下であれば、第１の番組情報記憶部の番組情報データ列のｎ番目の番組情報データから、番組名称、チャンネル番号及びネットワークＩＤ取り出す（Ｓ３０９）。
【０１１９】
次に、第２の番組情報記憶部の番組情報データ列をソートし、番組名称の一致する番組情報データがあるかどうかを調べる（Ｓ３１０）。一致するものがなければ、Ｓ３０９で抽出した番組情報データを破棄し（Ｓ３１１）、Ｓ３０７に戻り、以降、処理を繰り返す。一致するものがあれば、該当する一致した第２の番組情報記憶部の番組データからネットワークＩＤとチャンネル番号を抽出し（Ｓ３１２）、合成番組情報記憶部５８の番組情報データ列のｍ番目に、Ｓ３０９，Ｓ３１２の処理で抽出した番組名称、第１の番組情報記憶部からのネットワークＩＤ、第１の番組情報記憶部からのチャンネル番号、第２の番組情報記憶部からのネットワークＩＤ、及び第２の番組情報記憶部からのチャンネル番号を格納する（Ｓ３１３）。そして、ｍをインクリメントし（Ｓ３１４）、Ｓ３０７に戻り、以降、処理を繰り返す。ｍの初期値は"０"である。
【０１２０】
チャンネル・アップ／ダウンキー３０，３２が押下された時、押下されたのがチャンネル・アップキー３０かチャンネル・ダウンキー３２かを調べる（Ｓ２７２）。チャンネル・アップキー３０であれば、データ列変数ｓをインクリメントする（Ｓ２７３）。データ列変数ｓがＧＯＵＳＥＩ＿ＭＡＸ＿ＤＡＴＡ＿ＮＵＭより大きい値か否かを判断し（Ｓ２７４）、真であれば、データ列変数ｓを"０"に戻す（Ｓ２７５）。偽であれば、Ｓ２７６にスキップする。尚、データ列変数ｓは、電源投入時には初期値"０"であるが、以降、値は初期化されない。ＧＯＵＳＥＩ＿ＭＡＸ＿ＤＡＴＡ＿ＮＵＭは、合成番組情報記憶部５８中の番組情報データ列の最大データ番号である。
【０１２１】
次に、チャンネル・アップ操作通知を相手のＴＶ受信機に送信する（Ｓ２７６）。合成番組情報記憶部５８に記憶される番組情報データ列のｓ番目のデータに格納されているチャンネル番号に基づき、選局を行い（Ｓ２８１）、処理を終了する（Ｓ２８２）。
【０１２２】
図２０は、少なくとも片方のＴＶ受信機において同時視聴開始キー３４が押された後にチャンネル・アップ／ダウンキー３０、３２が押された時に、制御部７４が行う処理を示すフローチャートである。
【０１２３】
チャンネル・アップ／ダウンキー３０，３２が押下された時、押下されたのがチャンネル・アップキー３０かチャンネル・ダウンキー３２かを調べる（Ｓ３２２）。チャンネル・アップキー３０であれば、データ列変数ｓをインクリメントする（Ｓ３２３）。データ列変数ｓがＧＯＵＳＥＩ＿ＭＡＸ＿ＤＡＴＡ＿ＮＵＭより大きいか否かを判断し（Ｓ３２４）、真であれば、データ列変数ｓに"０"を代入する（Ｓ３２５）。偽であれば、Ｓ３２６にスキップする。
【０１２４】
尚、データ列変数ｓは、電源投入時には初期値"０"であるが、以降、値は初期化されない。ＧＯＵＳＥＩ＿ＭＡＸ＿ＤＡＴＡ＿ＮＵＭは、合成番組情報記憶部５８の番組情報データ列の最大データ番号である。
【０１２５】
次に、チャンネル・アップ操作通知を相手のＴＶ受信機に送信する（Ｓ３２６）。送信用番組情報記憶部５６の０番目のデータからネットワークＩＤ＝Ｙを抽出し（Ｓ３３１）、合成番組情報記憶部５８に記憶される番組情報データ列のｓ番目のデータからネットワークＩＤ＝Ｙに対応するチャンネル番号を参照し、そのチャンネル番号に基づき選局を行い（Ｓ３３２）、処理を終了する（Ｓ３３３）。
【０１２６】
押下されたのがチャンネル・ダウンキー３２であれば（Ｓ３２２）、データ列変数ｓをデクリメントする（Ｓ３２７）。データ列変数ｓがマイナスの値かを判断し（Ｓ３２８）、真であれば、データ列変数ｓにＧＯＵＳＥＩ＿ＭＡＸ＿ＤＡＴＡ＿ＮＵＭを代入する（Ｓ３２９）。チャンネル・ダウン操作通知を相手のＴＶ受信機に送信する（Ｓ３３０）。以降、Ｓ３３１，Ｓ３３２の処理を行い、終了する（Ｓ３３３）。
【０１２７】
以上の処理により、一方のリモコンによるチャンネル選局操作により、双方で同じ放送番組に切り替え、視聴することが可能である。放送番組編成の異なる地域間であっても、両ユーザが視聴可能な同じ放送番組を探す手間も、その放送番組を選局するためのリモコン操作の手間も無しで、同じ放送番組を視聴できる。
【０１２８】
加えて、同じ放送番組でありながら地域間でチャンネル番号が異なっている場合でも、同じ放送番組に切り替え、視聴することが可能となる。
【実施例３】
【０１２９】
本発明の実施例３を説明する。実施例３では、選局不可の場合に、入力映像情報に選局不可を示すダイアログを合成して表示する。その他の、基本的な構成と動作は実施例１と同じである。
【０１３０】
画像合成部５０は、制御部７４からの指示に従い、入力映像情報にダイアログ"選局できません"を合成して、表示部５２に出力する。
【０１３１】
この実施例では、送信用番組情報記憶部５６に図２１に示すような番組情報データ列が格納され、受信用番組情報記憶部６４には、図２２に示すような番組情報データ列が格納される。
【０１３２】
制御部７４は、送信用番組情報記憶部５６に格納される番組情報データ列と受信用番組情報記憶部６４に格納される番組情報データ列を調査する。番組名称が一致する場合、送信用番組情報記憶部５６と受信用番組情報記憶部６４の番組情報データ列からチャンネル番号を抽出し、それぞれを自チャンネル番号欄及び相手チャンネル番号欄に格納する。番組名称が一致しない場合、送信用番組情報記憶部５６の番組情報データ列からのチャンネル番号を自チャンネル番号欄に格納し、相手チャンネル番号欄には、"選局不可能"を示す"０"を格納して、図２３に示すような番組情報データ列を作成し、合成番組情報記憶部５８に保持する。
【０１３３】
また、制御部７４は、リモコン受信部７２からテンキー３６による選局操作通知を受けると、合成番組情報記憶部５８のデータ列（図２３）の自チャンネル番号欄からテンキーで入力された番号と一致するものを探す。一致する場合、そのデータの相手チャンネル番号欄から相手チャンネル番号を抽出し、通信部６２を介して相手のＴＶ受信機に送信する。そして、そのテンキー番号のチャンネルを選局するように信号処理部４４を制御する。制御部７４は、通信部６２からチャンネル番号を受けた時には、そのチャンネル番号を選局するように信号処理部４４を制御する。
【０１３４】
図２５、図２６及び図２７を参照して、実施例３におけるＴＶ受信機間の処理シーケンス及び双方のＴＶ受信機の表示形態を説明する。
【０１３５】
ＴＶ受信機１０ａの合成処理（Ｓ４１７）では、まず、送信用番組情報記憶部５６の番組情報データ列（図２１）の０番目のデータ（１ｃｈ  ニュース）４０１を参照し、受信用番組情報記憶部６４の番組情報データ列（図２２）から番組名称の一致するデータ（９ｃｈ  ニュース）４２５を抽出する。そして、合成番組情報記憶部５８のデータ列（図２３）の中の０番目のデータ４４１として、自チャンネル番号欄４４８に"１ｃｈ"を、相手チャンネル番号欄４４９に"９ｃｈ"を格納し、保持する。
【０１３６】
次に、送信用番組情報記憶部５６の番組情報データ列（図２１）の１番目のデータ"３ｃｈ  アフリカの神秘"４０２を参照し、受信用番組情報記憶部６４の番組情報データ列（図２２）から、番組名称の一致するデータ（３ｃｈ  アフリカの神秘）４２２を抽出する。そして、合成番組情報記憶部５８のデータ列（図２３）の１番目のデータ４４２として、自チャンネル番号欄４５０に"３ｃｈ"を、相手チャンネル番号欄４５１に"３ｃｈ"を格納し、保持する。
【０１３７】
次に、送信用番組情報記憶部５６の番組情報データ列（図２１）の２番目のデータ（４ｃｈ  がちんこ）４０３を参照し、受信用番組情報記憶部６４の番組情報データ列（図２２）に番組名称の一致するデータがない場合、合成番組情報記憶部５８のデータ列（図２３）の２番目のデータ４４３として、自チャンネル番号欄４５２に"４ｃｈ"を、相手チャンネル番号欄４５３に選局不可能を示す"０"を格納し、保持する。
【０１３８】
以降、同様な処理を行う。その結果、図２３に示す内容の番組情報データ列が形成され、合成番組情報記憶部５８に保持される。
【０１３９】
ＴＶ受信機１０ｂの合成処理（Ｓ４１６）も、基本的に上記と同様である。ＴＶ受信機１０ｂでは、ＴＶ受信機１０ａの合成番組情報記憶部５８の番組情報データ列とは異なる図２４に示すような番組情報データ列が形成され、合成番組情報記憶部５８に保持される。
【０１４０】
ユーザが、ＴＶ受信機１０ａのリモコン２２ａでテンキー３６の"８"キーを操作したとする（Ｓ４１９）。ＴＶ受信機１０ａは、合成番組情報記憶部５８の番組情報データ列（図２３）から、自チャンネル番号欄が８ｃｈである４番目のデータ４４５を参照する。その相手チャンネル番号欄４５７が"０"でないので、選局可能と判断し（Ｓ４２０）、相手チャンネル番号欄４５７の内容"１ｃｈ"をＴＶ受信機１０ｂに送信する（Ｓ４２１）。そして、自チャンネル番号欄４５６の値"８ｃｈ"に応じたチャンネルに信号処理部４４を選局する（Ｓ４２２）。
【０１４１】
チャンネル番号"１ｃｈ"を通信部６２を介して受信したＴＶ受信機１０ｂは、そのチャンネル１ｃｈに信号処理部４４を選局する（Ｓ４２３）。この時、図２６に示すように、ＴＶ受信機１０ａのＴＶ放送番組視聴画面１８ａには、８ｃｈの番組「整形美人」が表示され、ＴＶ受信機１０ｂのＴＶ放送番組視聴画面１８ｂには、１ｃｈの番組"整形美人"が表示される。
【０１４２】
次に、ユーザが、ＴＶ受信機Ｂ５０４のリモコン５０６でテンキー３６のキー"５"を操作したとする（Ｓ４２４）。ＴＶ受信機１０ｂは、合成番組情報記憶部５８の番組情報データ列（図２４）から、自チャンネル番号欄が"５ｃｈ"である２番目のデータ４７３を参照する。データ４７３に対応する相手チャンネル番号欄４８３が"０"であるので、選局不可能と判断し（Ｓ４２５）、選局処理を行わず、選局不可能であることを示す制御信号（画像合成部に対して”選局できません”という情報を表示するダイアログの表示を指示する信号）を出力する。この制御信号に基づいて、画像合成部５０によって”選局できません”という表示が行われるダイアログを合成表示する処理（Ｓ４２６）が行われる。これにより、ＴＶ受信機１０ｂのＴＶ放送番組視聴画面１８ｂには、図２８に示すように"選局できません"２４ｂが合成表示される。尚、Ｓ４０１〜Ｓ４１５及びＳ４２７〜Ｓ４３９の処理は、実施例１と同様である。これは”選局できません”というダイアログを表示するなどの警告映像を表示することで、相手側の受信機で選局できない番組であること（共通選局ができない番組であること）を使用者に知覚させるのではなく、例えば警告音などの音声信号によって知覚させたり、警告ランプを点灯させることによって知覚させたりする構成を採用することもできる。
【０１４３】
図２８は、制御部７４が行う合成処理Ｓ２１４，Ｓ２３２を示すフローチャートである。データ列変数ｎの初期値は"０"である。ＭＡＸ＿ＤＡＴＡ＿ＮＵＭは、送信用番組情報記憶部５６の番組情報データ列の最大データ番号である。
【０１４４】
データ列変数ｎがＭＡＸ＿ＤＡＴＡ＿ＮＵＭより大きいか否かを判断し（Ｓ５０２）、真であれば、処理を終了する（Ｓ５１０）。偽、つまりｎがＭＡＸ＿ＤＡＴＡ＿ＮＵＭ以下であれば、送信用番組情報記憶部５６の番組情報データ列のｎ番目のデータから、チャンネル番号及び番組名称を取り出す（Ｓ５０３）。
【０１４５】
合成番組情報記憶部５８の番組情報データ列のｎ番目の自チャンネル番号欄にＳ５０３で抽出したチャンネル番号を格納する（Ｓ５０４）。受信用番組情報記憶部６４の番組情報データ列をソートし、Ｓ５０３で抽出した番組名称と一致するデータがあるかどうかを調べる（Ｓ５０５）。一致するデータがあれば、受信用番組情報記憶部６４の該当するデータからチャンネル番号を取り出し（Ｓ５０６）、合成番組情報記憶部５８の番組情報データ列のｎ番目の相手チャンネル番号欄に格納する（Ｓ５０７）。
【０１４６】
データ列変数ｎをインクリメントし（Ｓ５０８）、Ｓ５０２の処理へ戻り、以降、同様の処理を繰り返す。
【０１４７】
Ｓ５０５で一致するデータがなければ、合成番組情報記憶部５８の番組情報データ列のｎ番目の相手チャンネル番号欄に選局不可能を示す"０"を格納し（Ｓ５０９）、Ｓ５０８にスキップする。以降の処理は、上記の通りである。
【０１４８】
図２９は、少なくとも片方のＴＶ受信機において同時視聴開始キー３４が押された後にテンキー３６を押した時に制御部７４が行う処理を示すフローチャートである。
【０１４９】
Ｘｃｈのテンキーが押された時、データ列変数ｓを"０"で初期化する（Ｓ５２２）。データ列変数ｓがＧＯＵＳＥＩ＿ＭＡＸ＿ＤＡＴＡ＿ＮＵＭより大きいか否かを判断し（Ｓ５２３）、真であれば、処理を終了する（Ｓ５３０）。偽、即ちｓの値がＧＯＵＳＥＩ＿ＭＡＸ＿ＤＡＴＡ＿ＮＵＭ以下であれば、合成番組情報記憶部５８の番組情報データ列のｓ番目の自チャンネル番号欄に格納されたチャンネル番号が、Ｘに等しいかどうかを判断する（Ｓ５２４）。
【０１５０】
そのチャンネル番号がＸに等しくなければ、データ列変数ｓをインクリメントし（Ｓ５２８）、Ｓ５２３に戻る。また、等しければ、合成番組情報記憶部５８の番組情報データ列のｓ番目の相手チャンネル番号欄に格納されたチャンネル番号が、選局不可能を示す"０"でないかどうかを判断する（Ｓ５２５）。"０"でなければ、ｓ番目の相手チャンネル番号欄に格納されているチャンネル番号を通信部６２を介して相手側のＴＶ受信機に送信する（Ｓ５２６）。次に、Ｘｃｈを選局し（Ｓ５２７）、処理を終了する（Ｓ５３０）。
【０１５１】
また、Ｓ５２５で、合成番組情報記憶部５８の番組情報データ列のｓ番目の相手チャンネル番号欄に格納されたチャンネル番号が"０"であれば、"選局できません"という内容のダイアログ表示を合成表示し（Ｓ５２９）、処理を終了する（Ｓ５３０）。
【０１５２】
図３０は、通信部６２からチャンネル番号を受信した時に制御部７４が行う処理を示すフローチャートである。通信部６２からチャンネル番号Ｘを受信すると、Ｘｃｈを選局し（Ｓ５４２）、処理を終了する（Ｓ５４３）。
【０１５３】
以上の処理により、一方のリモコンによるチャンネル選局操作により２つのＴＶ受信機で同じ放送番組に切り替え、視聴することができる。放送番組編成の異なる地域間でも、ユーザに視聴可能な同じ放送番組を探す手間や、その放送番組を選局するための各リモコン操作の手間をかけさせることなしに、同じ放送番組を視聴できるようになる。
【０１５４】
更には、同じ放送番組でありながら、地域間でチャンネル番号が異なっている場合でも、同じ放送番組に切り替え、視聴することが可能となる。
【０１５５】
更には、リモコンのテンキーで選局操作を行うことにより、自地域の放送チャンネル通りに違和感なく、同じ放送番組に切り替え、視聴することが可能となる。
【実施例４】
【０１５６】
本発明の実施例４を説明する。
【０１５７】
図３１は、実施例４に係るＴＶ受信機システムの構成図である。ＴＶ受信機１０１０ａ，１０１０ｂは、インターネット１０１２を介して相互に接続している。１０１４ａ，１０１４ｂは視聴者自身を撮影するビデオカメラ、１０１６ａ，１０１６ｂは、撮影された相手視聴者の映像を表示する子画面、１０１８ａ，１０１８ｂは受信したＴＶ放送番組の視聴画面、１０２０ａ，１０２０ｂはテレビ放送電波を受信するアンテナ、１０２２ａ，１０２２ｂは、ＴＶ受信機１０１０ａ，１０１０ｂを操作し、視聴するＴＶ放送番組を切り替えるリモコンである。
【０１５８】
図３２は、リモコン１０２２ａ，１０２２ｂの平面図を示す。各リモコン１０２２ａ，１０２２ｂは、チャンネル・アップキー１０３０、チャンネル・ダウンキー１０３２、同時視聴開始キー１０３４及びテンキー１０３６を具備する。
【０１５９】
図３３は、ＴＶ受信機１０１０ａ，１０１０ｂの内部構成を示す。ＴＶ受信機１０１０ａ，１０１０ｂの本体１０４０にアンテナ端子１０４２があり、このアンテナ端子１０４２にアンテナ１０２０ａ，１０２０ｂが接続する。放送局は、映像情報、音声情報及びＳＩ（Ｓｅｒｖｉｃｅ  Ｉｎｆｏｒｍａｔｉｏｎ）情報（社団法人電波産業会標準規格（ＡＲＩＢ  ＳＴＤ−Ｂ１０）「ディジタル放送に使用する番組配列情報」記載）を符号化及び多重化した放送信号を出力する。ＳＩ情報の一つに、ＥＩＴ（Ｅｖｅｎｔ  Ｉｎｆｏｒｍａｔｉｏｎ  Ｔａｂｌｅ）と呼ばれるチャンネル毎の番組情報が記述された番組配列情報があり、ここには、チャンネル番号、番組名称及び放送日時などの、番組に関連する情報が記述されている。
【０１６０】
放送局から出力される放送信号は、アンテナ１０２０ａ，１０２０ｂで受信され、アンテナ端子１０４２を介して信号処理部１０４４に入力する。信号処理部１０４４は、アンテナ端子１０４２からの放送信号から、制御部１０７４の指示により映像情報及び音声情報を復号した後、映像データ及び音声データをそれぞれ画像合成部１０５０及び音声合成部１０４６に出力する。また、信号処理部１０４４は、アンテナ端子１０４２からの放送信号からＳＩ情報を抽出し、ＳＩ情報記憶部１０５４に随時、出力する。ＳＩ情報記憶部１０５４は、信号処理部１０４４からのＳＩ情報を蓄積する。
【０１６１】
画像合成部１０５０は、複数の入力映像情報を複数の画面に表示するように合成処理し、表示部１０５２に出力する。音声合成部１０４６は、複数の入力音声情報を切り替え又は合成し、音声出力部１０４８に出力する。
【０１６２】
表示部１０５２は、入力した映像情報を画像として表示する。音声出力部１０４８は、入力した音声情報を外部へ出力する。
【０１６３】
送信用番組情報記憶部１０５６は、制御部１０７４の指示により、ＳＩ情報記憶部１０５４に記憶されるＥＩＴ中の番組情報（チャンネル番号及び番組名称）を放送日時に従って（データ列、時間）のマトリクス状に配置した番組情報データ表を保持する。番組情報データ表の一例を図３４に示す。この番組情報データ表は、制御部１０７４の指示により通信部１０６２に送信される。
【０１６４】
カメラ映像音声入力部１０７０は、撮影している映像及び音声データを符号化部１０６８に出力する。符号化部１０６８は、入力されたデータをリアルタイムに符号化し、符号化データを通信部１０６２に出力する。
【０１６５】
通信部１０６２は、符号化部１０６８からの符号化されたカメラ映像音声情報をインターネット１０１２を介して相手のＴＶ受信機に送信し、インターネット１０１２を介して相手のＴＶ受信機から受信した、符号化されたカメラ映像音声情報を、復号化部１０６０に出力する。
【０１６６】
通信部１０６２はまた、制御部１０７４の指示により、番組情報取得要求をインターネット１０１２を介して相手のＴＶ受信機へ送信し、インターネット１０１２を介して相手のＴＶ受信機から受信した番組情報取得要求を制御部１０７４に出力する。
【０１６７】
通信部１０６２はまた、制御部１０７４の指示により、送信用番組情報記憶部１０５６に保持する番組情報データ表（図３４）を、インターネット１０１２を介して相手のＴＶ受信機へ送信し、インターネット１０１２を介して相手のＴＶ受信機から受信した図３５に示すような番組情報データ表を、受信用番組情報記憶部１０６４に出力する。
【０１６８】
通信部１０６２はまた、制御部１０７４の指示により、番組情報取得開始信号及び合成処理開始信号を、インターネット１０１２を介して相手のＴＶ受信機へ送信し、インターネット１０１２を介して相手のＴＶ受信機から受信した信号を制御部１０７４に出力する。
【０１６９】
復号化部１０６０は、通信部１０６２から入力したビデオカメラ映像音声情報の符号化データをリアルタイムに復号化し、画像合成部１０５０に出力する。
【０１７０】
受信用番組情報記憶部１０６４は、通信部１０６２から入力された番組情報データ表を保持する。この番組情報データ表は、図３５に示すように、送信用番組情報記憶部１０５６に記憶されるデータ表と同様に、チャンネル番号及び番組名称を放送日時に従って（データ列、時間）座標に配置した構造からなる。
【０１７１】
合成番組情報記憶部１０５８は、制御部１０７４の制御下で、送信用番組情報記憶部１０５６に記憶される番組情報データ表と、受信用番組情報記憶部１０６４に記憶される番組情報データ表とを合成して図３６に示すような番組情報データ表を形成し、保持する。尚、合成処理の詳細は、後述する。
【０１７２】
Ａタイマ１０６６は、合成処理を開始するために使用され、時間測定の開始後、ＴＶ受信機に固有のタイマ値が経過すると、時間測定を停止し、タイマ終了を制御部１０７４に通知する。
【０１７３】
Ｂタイマ１０６７は、自動選局処理において使用される。Ｂタイマ１０６７は時計を内蔵しており、番組情報データ表の時間軸目盛りに等しい３０分毎に、時間経過及びその時刻（時、分）を制御部１０７４に通知する。自動選局処理については後述する。
【０１７４】
リモコン受信部１０７２は、電源オンの後に初めて同時視聴開始キー１０３４の押下信号を受信したときには、同時視聴開始要求を制御部１０７４に通知する。
【０１７５】
制御部１０７４の動作を詳細に説明する。制御部１０７４は、リモコン受信部１０７２からの同時視聴開始要求、又は、Ａタイマ１０６６からのタイマ終了通知を受けると、通信部１０６２を介してマスター立候補要求を相手ＴＶ受信機に送信する。制御部１０７４は、番組情報取得要求を相手のＴＶ受信機に送信し、その応答として、相手のＴＶ受信機から図３５に示すような番組情報データ列を取得し、受信用番組情報記憶部１０６４に保持する。制御部１０７４は、通信部１０６２を介して相手のＴＶ受信機から番組情報取得要求を受信すると、ＳＩ情報記憶部１０５４からＥＩＴ中のチャンネル番号及び番組名称を放送日時に従って（データ列、時間）のマトリクス状に配置した図３４に示すような番組情報データ表を作成し、その番組情報データ列を送信用番組情報記憶部１０５６に出力すると同時に、通信部１０６２を介して相手のＴＶ受信機に返信する。相手のＴＶ受信機も同様の処理を行い、図３５に示す番組情報データ表を送信する。
【０１７６】
この番組情報データ表は、データ列軸方向へはチャンネル番号の小さい順に配置され、時間軸方向へは、放送時刻の小さい順に配置される。時間座標は３０分単位とする。番組が、図３４のデータ１２０４、１２０９、１２１０のように３０分以上の場合は、放送時間分だけ複数個のデータとして配置する。本実施例では、３０分単位としたが、その他でも構わない。
【０１７７】
制御部１０７４は、送信用番組情報記憶部１０５６に記憶される図３４に示す番組情報データ表と、受信用番組情報記憶部１０６４に記憶される図３５に示す番組情報データ表とから、チャンネル番号と番組名称が共に一致する番組情報データだけを抽出して、図３６に示す番組情報データ表を作成し、合成番組情報記憶部１０５８に保持する。
【０１７８】
制御部１０７４は、通信部１０６２、信号処理部１０４４、ＳＩ情報記憶部１０５４、画像合成部１０５０、音声合成部１０４６、送信用番組情報記憶部１０５６、復号化部１０６０、受信用番組情報記憶部１０６４、合成番組情報記憶部１０５８及びＡタイマ１０６６を統合的に制御する。
【０１７９】
図３４乃至図３７を参照して、実施例４におけるＴＶ受信機１０１０ａ，１０１０ｂ間の処理シーケンスを説明する。
【０１８０】
ユーザが、電源オンの後、初めてＴＶ受信機１０１０ａのリモコン１０２２ａの同時視聴開始キー１０３４を押下すると（Ｓ１１０１）と、タイマ１０６６を開始し（Ｓ１１０２）、同時に、番組情報処理のマスターになることを通知するマスター立候補要求を相手のＴＶ受信機１０１０ｂに送信する（Ｓ１１０３）。ＴＶ受信機１０１０ｂは、ＯＫを返信する（Ｓ１０４＿２）。ＯＫを受けたＴＶ受信機１０１０ａは、マスターを示すマスター・フラグを"１"にする（Ｓ１０５＿２）。尚、ＴＶ受信機１０１０ａ，１０１０ｂのマスター・フラグの初期値は、共に"０"である。
【０１８１】
その後、ユーザが、ＴＶ受信機１０１０ｂの同時視聴開始キー１０３４を押下した場合（Ｓ１１０６）、ＴＶ受信機１０１０ｂは、同様にタイマを開始し（Ｓ１１０７）、マスター立候補要求を送信する（Ｓ１１０８）。この時、ＴＶ受信機１０１０ａは、既にマスター・フラグが"１"であるので、ＮＧを返信する（Ｓ１１０９）。
【０１８２】
Ｓ１１０４の処理でＯＫを受信したＴＶ受信機１０１０ａは、番組情報取得要求をＴＶ受信機１０１０ｂに送信する（Ｓ１１１０）。ＴＶ受信機１０１０ｂは、ＳＩ情報記憶部１０５４に保持されるＳＩ情報から、図３５に示すような番組情報データ表を構築し、返信する（Ｓ１１１１）。
【０１８３】
次に、ＴＶ受信機１０１０ａは、番組情報取得要求の送信を促す番組情報取得開始信号をＴＶ受信機１０１０ｂに通知する（Ｓ１１１２）。この信号に応じて、ＴＶ受信機１０１０ｂは、番組情報取得要求をＴＶ受信機１０１０ａに送信し（Ｓ１１１３）、ＴＶ受信機１０１０ａは、同様に番組情報データ表を構築し、返信する（Ｓ１１１４）。
【０１８４】
次に、ＴＶ受信機１０１０ａは、合成処理開始信号をＴＶ受信機１０１０ｂに送信し（Ｓ１１１５）、合成処理（Ｓ１１１６）を開始する。合成処理開始信号を受信したＴＶ受信機１０１０ｂも、合成処理（Ｓ１１１８）を開始する。
【０１８５】
ＴＶ受信機１０１０ａの合成処理（Ｓ１１１６）では、送信用番組情報記憶部１０５６の図３４に示すような番組情報データ表において、現時刻が９：４０だった場合、（０、９：３０）座標のデータ"１ｃｈ、ニュース"１２０１を参照し、受信用番組情報記憶部１０６４中の図３５に示すような番組情報データ表中の（ｘ、９：３０）座標に、チャンネル番号と番組名称の両方が一致するデータがあるかどうかを調べし、チャンネル番号と番組名称の両方が一致するデータがなければ、合成番組情報記憶部１０５８の図３６に示すような番組情報データ表の（０、９：３０）座標のデータ１２４１に"０"を代入する。
【０１８６】
次に、送信用番組情報記憶部１０５６の番組情報データ表（図３４）の、データ列軸方向に１単位分インクリメントした（１、９：３０）座標のデータ（３ｃｈ、アフリカの神秘）１２０２を参照し、同様にソートし、図３５の番組情報データ表中から、チャンネル番号と番組名称の両方が一致する（１、９：３０）座標のデータ（３ｃｈ、アフリカの神秘）１２２２を検出し、合成番組情報記憶部１０５８の番組情報データ表の（１、９：３０）座標のデータ１２４２にチャンネル番号"３ｃｈ"を代入する。
【０１８７】
以降、同様な処理が行われる。その結果、チャンネル番号と番組名称が共に一致するデータ（４ｃｈ、どうぶつ天国）、（８ｃｈ、整形美人）、（１０ｃｈ、ニュース１０）及び（１２ｃｈ、なんでも鑑定）については各々チャンネル番号を、一致しなかったデータについては"０"を、合成番組情報記憶部１０５８の番組情報データ表（図３６）のセル１２４３〜１２４７に格納する。
【０１８８】
次に、送信用番組情報記憶部１０５６の番組情報データ表（図３４）において、時間軸方向に１単位分インクリメントした（０、１０：００）座標のデータ"１ｃｈ、ちゅらサン"１２０８を参照し、以降、上記と同様な処理を繰り返し、一致したデータについてはチャンネル番号を、一致しなかったデータについては"０"を、合成番組情報記憶部１０５８の番組情報データ表（図３６）に格納する。これにより、番組情報データ表（図３６）が完成する。
【０１８９】
尚、図３４，図３５及び図３６に示す番組情報データ表には、時間軸が９：３０から１１：００までしか示していないが、勿論、この範囲外のデータを含むことができる。本実施例では、データ列軸方向へチャンネル番号の小さい順に番組情報データ表を構成したが、他の順序で構成しても構わない。
【０１９０】
ＴＶ受信機１０１０ｂの合成処理（Ｓ１１１８）も、上記と同様な処理を行うことによって、ＴＶ受信機１０１０ａの合成番組情報記憶部１０５８の番組情報データ表と等しい図３６に示すような番組情報データ表を構成し、ＴＶ受信機１０１０ｂの合成番組情報記憶部１０５８に保持する。この時、ＴＶ受信機１０１０ｂの送信用番組情報記憶部１０５６には、図３４に示す番組情報データ表が格納され、受信用番組情報記憶部１０６４には、図３５に示す番組情報データ表が格納されている。
【０１９１】
そして、ＴＶ受信機１０１０ａは、番組情報処理のマスターを放棄したことを示すため、マスター・フラグを"０"にする（Ｓ１１１７）。
【０１９２】
この後、ＴＶ受信機１０１０ａは、Ａタイマ１０６６からタイマ終了の通知を受けると（Ｓ１１１９）と、再び、Ａタイマ１０６６を開始し（Ｓ１１２０）、先述したように、マスター立候補要求を相手のＴＶ受信機１０１０ｂに送信し（Ｓ１１２１）、以降、同様な処理（Ｓ１１２２）〜（Ｓ１１３２）を繰り返す。ＴＶ受信機１０１０ａ，１０１０ｂの各タイマ値は、異なっていても何ら問題はない。
【０１９３】
図３６、図３８及び図３９を参照して、ＴＶ受信機１０１０ａ，１０１０ｂの双方で視聴中の同一番組が放送終了時刻になった時の、各ＴＶ受信機１０１０ａ，１０１０ｂの自動選局処理を説明する。ここでの自動選局処理は、上述した合成処理の後に実行可能となる。
【０１９４】
現時刻９：４０に、ＴＶ受信機１０１０ａ，１０１０ｂの視聴者が"４ｃｈ、どうぶつ天国"を視聴しており、図３８に示すように、ＴＶ放送番組視聴画面１０１８ａ，１０１８ｂに番組「どうぶつ天国」が表示される。この時、各ＴＶ受信機１０１０ａ，１０１０ｂは、合成番組情報記憶部１０５８の番組情報データ表（図３６）の（２、９：３０）座標のデータ１２４３を参照している。
【０１９５】
その後、１０：００になったことをＢタイマ１０６７から通知されると、（２、１０：００）座標のデータ１２４８を参照する。１０：３０になったことをＢタイマ１０６７から通知されると、時間軸方向に１単位分インクリメントし、（３、１０：３０）座標のデータ１２４９を参照する。
【０１９６】
データ１２４９には、ＴＶ受信機１０１０ａ，１０１０ｂ間で、チャンネル番号と番組名称の少なくとも一方が一致しないことを示す"０"が格納されている。この場合、データ列軸方向に１単位分インクリメントし、（４、１０：３０）座標のデータ１２５０を参照する。データ１２５０には同様に"０"が格納されているので、再度、データ列軸方向に１単位分インクリメントし、（５、１０：３０）座標のデータ１２５１を参照する。データ１２５１には、"０"の値でないチャンネル番号"８ｃｈ"が格納されており、この場合、チャンネル番号８ｃｈを信号処理部１０４４で選局する。
【０１９７】
以上の様な処理を実行することにより、各ＴＶ受信機１０１０ａ，１０１０ｂは、図３９に示すように、ＴＶ放送番組視聴画面１０１８ａ，１０１８ｂに８ｃｈの同じ番組「水曜スペシャル」を選局表示する。
【０１９８】
現時刻１０：１０に、ＴＶ受信機１０１０ａ，１０１０ｂの視聴者が"１２ｃｈ、なんでも鑑定"を視聴している時、合成番組情報記憶部１０５８の（６、１０：００）座標のデータ１２５２を参照し、その後、１０：３０になったことをＢタイマ１０６７から通知されると、上述したように時間軸方向に１単位分インクリメントして、（６、１０：３０）座標のデータ１２５３を参照する。
【０１９９】
データ１２５３には、ＴＶ受信機１０１０ａ，１０１０ｂ間でチャンネル番号と番組名称の少なくとも一方が一致しないことを示す"０"が格納されており、かつ、データ列番号が最大値に達しているので、データ列番号０の（０、１０：３０）座標のデータ１２５４を参照する。以降、上述と同様な処理を行う。
【０２００】
選局を行う前に、現時刻において、共通視聴可能な全番組の情報を合成番組情報記憶部１０５８の番組情報データ表中から同様な参照方法で抽出し、その番組情報を一覧できるリストを表示部１０５２へ出力する処理を行っても構わない。
【０２０１】
各ＴＶ受信機１０１０ａ，１０１０ｂが自律的に自動選局するとしたが、一方のＴＶ受信機のみが自動選局を行い、接続された他方のＴＶ受信機に対して、選局情報を送信し、他方のＴＶ受信機が、受信した選局情報に従って選局処理を行うという構成を採用してもよい。
【０２０２】
図４０は、ユーザが、電源オンの後に初めて同時視聴開始キー１０３４を押した時、及びタイマ１０６６からタイマ終了の通知を受けた時の、ＴＶ受信機１０１０ａ，１０１０ｂの制御部１０７４が行う処理を示すフローチャートである。
【０２０３】
リモコン受信部１０７２からの同時視聴開始要求、又は、タイマ１０６６からのタイマ終了通知を受けると、タイマ１０６６の時間測定を開始し（Ｓ１２０２）、マスター立候補要求を相手のＴＶ受信機へ送信する（Ｓ１２０３）。その後、相手のＴＶ受信機から応答を受信する（Ｓ１２０４）。応答がＮＧであれば、処理を終了する（Ｓ１２１６）。応答がＯＫである場合、マスター・フラグを"１"にし（Ｓ１１０５）、番組情報取得要求を相手のＴＶ受信機に送信する（Ｓ１２０６）。その後、相手のＴＶ受信機から番組情報データ表を受信し（Ｓ１２０７）、受信用番組情報記憶部１０６４に上書きする（Ｓ１２０８）。
【０２０４】
次に、番組情報取得開始信号を相手のＴＶ受信機に送信する（Ｓ１２０９）。相手のＴＶ受信機から番組情報取得要求を受信すると（Ｓ１２１０）、ＳＩ情報記憶部１０５４から現時刻に放送中の番組情報データ表を抽出し、送信用番組情報記憶部１０５６に上書きする（Ｓ１２１１）。
【０２０５】
送信用番組情報記憶部１０５６の番組情報データ表を相手のＴＶ受信機に送信する（Ｓ１２１２）。次に、合成処理開始信号を相手のＴＶ受信機に送信し（Ｓ１２１３）、後述する合成処理を開始する（Ｓ１２１４）。その後、マスター・フラグを"０"に戻し、処理を終了する（Ｓ１２１５）。
【０２０６】
図４１は、マスター立候補要求を受信した後の、ＴＶ受信機１０１０ａ，１０１０ｂの本体１０４０の制御部１０７４が行う処理を示すフローチャートである。
【０２０７】
相手のＴＶ受信機からのマスター立候補要求を受信した後、マスター・フラグの値が"０"であるか否かを判断する（Ｓ１２２２）。偽、即ちマスター・フラグが"１"なら、ＮＧを応答として返信し（Ｓ１２３３）、処理を終了する。真、即ち、マスター・フラグが"０"なら、ＯＫを応答として返信する（Ｓ１２２３）。
【０２０８】
次に、相手のＴＶ受信機から番組情報取得要求を受信すると（Ｓ１２２４）と、ＳＩ情報記憶部１０５４から現時刻に放送中の番組情報データ表を抽出し、送信用番組情報記憶部１０５６に上書きする（Ｓ１２２５）。次に、送信用番組情報記憶部１０５６の番組情報データ表を相手のＴＶ受信機に送信する（Ｓ１２２６）。
【０２０９】
相手のＴＶ受信機から番組情報取得開始信号を受信すると（Ｓ１２２７）、番組情報取得要求を相手ＴＶ受信機に送信する（Ｓ１２２８）。その後、相手のＴＶ受信機から番組情報データ表を受信し（Ｓ１２２９）、受信用番組情報記憶部１０６４に上書きする（Ｓ１２３０）。
【０２１０】
相手のＴＶ受信機から合成処理開始信号を受信すると（Ｓ１２３１）、Ｓ１１１６，Ｓ１１１８で実行される合成処理を開始し（Ｓ１２３２）、処理を終了する（Ｓ１２３４）。
【０２１１】
図４２は、制御部１０７４が行う合成処理Ｓ１１１６，Ｓ１１１８を示すフローチャートである。
【０２１２】
初期値が"０"である時間変数ｔが、送信用番組情報記憶部１０５６の番組情報データ表での時間軸方向の最大データ列番号であるＭＡＸ＿Ｔ＿ＤＡＴＡ＿ＮＵＭより大きいか否かを判断する（Ｓ１２５２）。真であれば、処理を終了する（Ｓ１２６２）。番組情報データ表の時間軸方向のデータ番号は、０から割り振られるものとする。偽、即ち、ｔがＭＡＸ＿Ｔ＿ＤＡＴＡ＿ＮＵＭ以下であれば、次に、初期値が"０"であるデータ列変数ｎが、データ列軸方向の最大データ列番号であるＭＡＸ＿ＤＡＴＡ＿ＮＵＭより大きいかどうかを判断する（Ｓ１２５５）。真であれば、時間変数ｔをインクリメントし（Ｓ１２５４）、Ｓ１２５２に戻る。偽、即ち、ｎがＭＡＸ＿ＤＡＴＡ＿ＮＵＭ以下であれば、送信用番組情報記憶部１０５６の番組情報データ表の（ｎ、ｔ）座標データから、チャンネル番号と番組名称を取り出す（Ｓ１２５６）。
【０２１３】
次に、受信用番組情報記憶部１０６４の番組情報データ表の（ｘ、ｔ）座標データをソートし、チャンネル番号の一致する番組情報データがあるか否かを判断する（Ｓ１２５７）。ｘは任意である。偽、即ち、一致するデータがなければ、合成番組情報記憶部１０５８の番組情報データ表の（ｎ、ｔ）座標データに"０"を格納し（Ｓ１２６１）、Ｓ１２６０にスキップする。
【０２１４】
Ｓ１２５７で、真、即ち、チャンネル番号の一致するデータがあれば、双方の（ｎ、ｔ）座標データ中の番組名称が一致しているか否かを判断する（Ｓ１２５８）。偽、即ち、番組名称が一致しなければ、合成番組情報記憶部１０５８の番組情報データ表の（ｎ、ｔ）座標データに"０"を格納し（Ｓ１２６１）、Ｓ１２６０にスキップする。
【０２１５】
Ｓ１２５８で、真、即ち、番組名称が一致していれば、合成番組情報記憶部１０５８の番組情報データ表の（ｎ、ｔ）座標データに、Ｓ１２５６の処理で抽出したチャンネル番号を格納し（Ｓ１２５９）、データ列変数ｎをインクリメントし（Ｓ１２６０）、Ｓ１２５５に戻り、以降、上述の処理を繰り返す。
【０２１６】
図４３は、Ｂタイマ１０６７から時間経過（時刻）通知を受けた後、合成番組情報記憶部１０５８の番組情報データ表の参照先を、時間軸方向に１単位分インクリメントした後に開始する、各ＴＶ受信機の自動選局処理を示すフローチャートである。
【０２１７】
参照先である合成番組情報記憶部１０５８の番組情報データ表の（ｎ、ｔ）座標データが"０"か否かを判断する（Ｓ１２７２）。偽であれば、Ｓ１２８０にスキップする。真であれば、現在、参照中のデータ列変数ｎの値を開始データＣに記憶し（Ｓ１２７３）、ｎをインクリメントし（Ｓ１２７４）、ｎがデータ列軸方向の最大データ列番号であるＭＡＸ＿ＤＡＴＡ＿ＮＵＭより大きいかどうかを判断する（Ｓ１２７５）。偽であれば、Ｓ１２７７にスキップする。真であれば、ｎに"０"を代入し（Ｓ１２７６）、ｎが開始データＣの値と等しいか否かを判断する（Ｓ１２７７）。真であれば、処理を終了し（Ｓ１２８０）、偽であれば、合成番組情報記憶部１０５８の番組情報データ表の（ｎ、ｔ）座標データが"０"か否かを判断する（Ｓ１２７８）。真であれば、ｎのインクリメント処理（Ｓ１２７４）に戻り、偽であれば、番組情報データ表の（ｎ、ｔ）座標データに格納されているチャンネル番号を選局し（Ｓ１２７９）、処理を終了する（Ｓ１２８０）。
【０２１８】
以上の処理により、各ＴＶ受信機１０１０ａ，１０１０ｂは、双方で視聴中の共通のＴＶ番組の放送終了後に、そのままのチャンネルでは双方で共通なＴＶ番組を視聴することができなくなったことを検知することが可能となる。その後、双方で視聴可能な他のＴＶ番組を探し、そのＴＶ番組に自動で選局を切り替えることが可能となる。従って、地上波放送などの、放送番組のチャンネル番号等、番組プログラムが異なる地域間で、視聴していた共通のＴＶ番組の放送終了後、共通に視聴不可能となった場合に、各視聴者が手操作で他の共通に視聴可能な番組を選局する手間を省くことができる。
【実施例５】
【０２１９】
本発明の実施例５を説明する。実施例５は、実施例４の変更例であり、特に説明しない部分は、実施例４と同じである。
【０２２０】
送信用番組情報記憶部１０５６は、制御部１０７４の指示により、ＳＩ情報記憶部１０５４のＥＩＴ中のチャンネル番号及び番組名称を放送日時に従って、（データ列、時間）のマトリクス形状に配置した番組情報データ表を保持する。その番組情報データ表の一例を図４４に示す。
【０２２１】
受信用番組情報記憶部１０６４は、通信部１０６２から入力された図４５に例示するような番組情報データ表を保持する。この番組情報データ表は、送信用番組情報記憶部１０５６のデータ表と同じ構成順である。
【０２２２】
制御部１０７４は、通信部１０６２を通じて相手のＴＶ受信機から番組情報取得要求を受信すると、ＳＩ情報記憶部１０５４からＥＩＴ中のチャンネル番号、番組名称及び放送開始時刻を読み出し、放送日時に従って（データ列、時間）のマトリクス形状に配置することにより、図４４に示すような現時刻からの番組情報データ表を作成し、送信用番組情報記憶部１０５６に格納する。制御部１０７４はまた、この番組情報データ表を通信部１０６２を介して相手のＴＶ受信機に返信する。
【０２２３】
尚、相手のＴＶ受信機も同様の処理を行い、図４５に示す番組情報データ表を送信することは言うまでもない。相手のＴＶ受信機から図４５に例示する番組情報データ表を取得すると、受信用番組情報記憶部１０６４に格納する。
【０２２４】
制御部１０７４は、送信用番組情報記憶部５６＿２に格納される図４４に示す番組情報データ表と、受信用番組情報記憶部１０６４に格納される図４５に示す番組情報データ表とから、同一時間座標においてチャンネル番号、番組名称及び放送開始時刻が一致する番組情報データだけを抽出し、図４６に示すような、チャンネル番号と放送開始時刻から構成される番組情報データ表を作成し、合成番組情報記憶部１０５８に格納する。
【０２２５】
図３７、図４４、図４５及び図４６を参照して、実施例５におけるＴＶ受信機１０１０ａ，１０１０ｂ合成処理を説明する。
【０２２６】
ＴＶ受信機１０１０ａの合成処理（Ｓ１１１６）では、送信用番組情報記憶部１０５６の番組情報データ表（図４４）において、現時刻が９：４０だった場合、（０、９：３０）座標のデータ（１ｃｈ、ニュース、９：３０）１４０１を参照し、受信用番組情報記憶部１０６４の番組情報データ表（図４５）の（ｘ、９：３０）座標に、チャンネル番号、番組名称及び放送開始時刻の一致するデータがあるかどうかを調べ、チャンネル番号、番組名称及び放送開始時刻の一致するデータがなければ、合成番組情報記憶部１０５８の番組情報データ表（図４６）の（０、９：３０）座標のデータ１４４１に"０"を代入する。
【０２２７】
送信用番組情報記憶部１０５６の番組情報データ表（図４４）の、データ列軸方向に１単位分インクリメントした（１、９：３０）座標のデータ（３ｃｈ、アフリカの神秘、９：３０Ｚ）１４０２を参照し、同様にソートし、番組情報データ表（図４５）中から、チャンネル番号、番組名称及び放送開始時刻の一致する（１、９：３０）座標のデータ（３ｃｈ、アフリカの神秘、９：３０）１４２２を検出し、合成番組情報記憶部１０５８の番組情報データ表の（０、９：３０）座標のデータ１４４２にチャンネル番号と放送開始時刻（３ｃｈ、９：３０）を代入する。
【０２２８】
以降、同様の処理を行う。その結果として、合成番組情報記憶部１０５８の番組情報データ表（図４６）のデータ１４４３〜１４４７に、チャンネル番号、番組名称及び放送開始時刻の一致したデータ（４ｃｈ、どうぶつ天国、９：３０）、（８ｃｈ、整形美人、９：３０）、（１０ｃｈ、ニュース１０、９：３０）、（１２ｃｈ、なんでも鑑定、９：３０）については、チャンネル番号と放送開始時刻を格納し、一致しなかったデータについては、"０"を格納する。
【０２２９】
送信用番組情報記憶部１０５６の番組情報データ表（図４４）において、時間軸方向に１単位分インクリメントした（０、１０：００）座標のデータ１４０８を参照し、以降、上記同様な処理を繰り返する。一致したデータについては、チャンネル番号と放送開始時刻を合成番組情報記憶部１０５８の番組情報データ表（図４６）に格納し、一致しなかったデータについては、"０"を合成番組情報記憶部１０５８の番組情報データ表（図４６）に格納する。これにより、番組情報データ表（図４６）が完成する。
【０２３０】
図４４，図４５及び図４６に示す番組情報データ表では、時間軸として９：３０から１１：００までの範囲を図示してあるが、一般的には、これ以外の時間のデータを含むことは明らかである。図４４〜図４６では、データ列軸方向でチャンネル番号の小さい順に番組情報データ表を構成したが、他の順序で構成しても構わない。
【０２３１】
ＴＶ受信機１０１０ｂの合成処理（Ｓ１１１８）も、上記と同様であり、その結果として、ＴＶ受信機１０１０ａの合成番組情報記憶部１０５８の番組情報データ表と等しい内容の番組情報データ表が形成され、ＴＶ受信機１０１０ｂの合成番組情報記憶部１０５８に格納される。この時、ＴＶ受信機１０１０ｂの送信用番組情報記憶部１０５６には、図４４に示す番組情報データ表が格納され、受信用番組情報記憶部１０６４には、図４５に示す番組情報データ表が格納されている。
【０２３２】
図４６、図４７及び図４８を参照して、ＴＶ受信機１０１０ａ，１０１０ｂの双方で視聴中の同一番組が放送終了時刻になった時の、各ＴＶ受信機１０１０ａ，１０１０ｂの自動選局処理を説明する。この自動選局処理は、上述した合成処理後に実行可能となる。
【０２３３】
現時刻９：４０で、ＴＶ受信機１０１０ａ，１０１０ｂの視聴者が（４ｃｈ、どうぶつ天国）を視聴しており、図４７に示すように、ＴＶ放送番組視聴画面１０１８ａ，１０１８ｂに４ｃｈの「どうぶつ天国」が表示されているとする。この時、各ＴＶ受信機１０１０ａ，１０１０ｂは、合成番組情報記憶部１０５８の番組情報データ表（図４６）の（２、９：３０）座標のデータ１４４３を参照している。
【０２３４】
１０：００になったことをＢタイマ１０６７から通知されると、制御部１０７４は、参照データを時間軸方向に１単位分インクリメントし、（２、１０：００）座標のデータ１４４８を参照する。
【０２３５】
１０：３０になったことをＢタイマ１０６７から通知されると、時間軸方向に１単位分インクリメントし、（２、１０：３０）座標のデータ１４４９を参照する。データ１４４９には、ＴＶ受信機１０１０ａ，１０１０ｂ間で、チャンネル番号と番組名称の少なくとも一方が一致しないことを示す"０"が格納されている。この場合、データ列軸方向に１単位分インクリメントし、（３、１０：３０）座標のデータ１４５０を参照する。データ１４５０には同様に"０"が格納されているので、再度、データ列軸方向に１単位分インクリメントし、（４、１０：３０）座標のデータ１４５１を参照する。
【０２３６】
データ１４５１には"０"でないチャンネル番号"８ｃｈ"が格納されている。この場合、Ｂタイマ１０６７から受けた時刻１０：３０と放送開始時刻が等しいかどうかを調べる。このデータ１４５１には放送開始時刻"１０：００"が格納されているので、再度、データ列軸方向に１単位分インクリメントし、（５、１０：３０）座標のデータ１４５２を参照する。データ１４５２には、"０"でないチャンネル番号"１０ｃｈ"が格納されており、かつ、Ｂタイマ１０６７から受けた時刻１０：３０に等しい放送開始時刻"１０：３０"が格納されている。この場合、１０ｃｈを信号処理部１０４４で選局する。
【０２３７】
各ＴＶ受信機１０１０ａ，１０１０ｂにおいて上述の処理を行うことで、図４８に示す通り、ＴＶ放送番組視聴画面１０１８ａ，１０１８ｂに１０ｃｈの"サッカー速報"が表示される。
【０２３８】
図４９は、実施例５における合成処理（Ｓ１１１６，Ｓ１１１８）を示すフローチャートである。
【０２３９】
初期値が"０"である時間変数ｔが、送信用番組情報記憶部１０５６の番組情報データ表での時間軸方向の最大データ番号であるＭＡＸ＿Ｔ＿ＤＡＴＡ＿ＮＵＭより大きいかどうかを判断する（Ｓ１３０２）。真であれば、処理を終了する（Ｓ１３１２）。番組情報データ表の時間軸方向のデータ番号は、０から割り振られるものとする。偽、即ちｔがＭＡＸ＿Ｔ＿ＤＡＴＡ＿ＮＵＭ以下であれば、初期値が"０"であるデータ列変数ｎが、データ列軸方向の最大データ列番号であるＭＡＸ＿ＤＡＴＡ＿ＮＵＭより大きいかどうかを判断し（Ｓ１３０３）、真であれば、時間変数ｔをインクリメントし（Ｓ１３０４）、Ｓ１３０２に戻る。偽、即ちｎがＭＡＸ＿ＤＡＴＡ＿ＮＵＭ以下であれば、送信用番組情報記憶部１０５６の番組情報データ表の（ｎ、ｔ）座標データから、チャンネル番号、番組名称及び放送開始時刻を取り出す（Ｓ１３０５）。
【０２４０】
次に、受信用番組情報記憶部１０６４の番組情報データ表の（ｘ、ｔ）座標データをソートし、チャンネル番号の一致する番組情報データをサーチする（Ｓ１３０６）。ｘは任意である。偽即ち、チャンネル番号の一致するデータがなければ、合成番組情報記憶部１０５８の番組情報データ表の（ｎ、ｔ）座標データのチャンネル番号に"０"を格納し（Ｓ１３１１）、Ｓ１３１０にスキップする。
【０２４１】
Ｓ１３０６で、真、即ちチャンネル番号の一致するデータがあれば、双方の（ｎ、ｔ）座標データ中の番組名称が一致しているか否かを判断する（Ｓ１３０７）。偽、即ち、番組名称が一致しなければ、合成番組情報記憶部１０５８の番組情報データ表の（ｎ、ｔ）座標データのチャンネル番号に"０"を格納し（Ｓ１３１１）、Ｓ１３１０にスキップする。
【０２４２】
Ｓ１３０７で、真、即ち、番組名称が一致していれば、双方の（ｎ、ｔ）座標データ中の放送開始時刻が一致しているか否かを判断する（Ｓ１３０８）。偽、即ち放送開始時刻が一致しなければ、合成番組情報記憶部１０５８の番組情報データ表の（ｎ、ｔ）座標データのチャンネル番号に"０"を格納し（Ｓ１３１１）、Ｓ１３１０にスキップする。
【０２４３】
Ｓ１３０８で、真、即ち放送開始時刻が一致していれば、合成番組情報記憶部１０５８の番組情報データ表の（ｎ、ｔ）座標データに、Ｓ１３０５で抽出したチャンネル番号と放送開始時刻を格納し（Ｓ１３０９）、データ列変数ｎをインクリメントし（Ｓ１３１０）、Ｓ１３０３に戻り、以降、処理を繰り返す。
【０２４４】
図５０は、Ｂタイマ１０６７から時間経過（時刻）通知を受けた後、合成番組情報記憶部１０５８の番組情報データ表の参照先を時間軸方向に１単位分インクリメントし、その後に開始する各ＴＶ受信機１０１０ａ，１０１０ｂの自動選局処理を示すフローチャートである。
【０２４５】
合成番組情報記憶部１０５８の番組情報データ表の参照先である（ｎ、ｔ）座標データが"０"か否かを判断する（Ｓ１３５２）。偽であれば、Ｓ１３６０にスキップする。真であれば、現在、参照中のデータ列変数ｎの値を開始データＣに記憶し（Ｓ１３５３）、ｎをインクリメントする（Ｓ１３５４）。
【０２４６】
ｎが、データ列軸方向の最大データ列番号であるＭＡＸ＿ＤＡＴＡ＿ＮＵＭより大きいか否かを判断する（Ｓ１３５５）。偽であれば、Ｓ１３５７にスキップする。真であれば、ｎに"０"を代入し（Ｓ１３５６）、ｎが開始データＣの値と等しいか否かを判断する（Ｓ１３５７）。真であれば、処理を終了し（Ｓ１３６１）、偽であれば、合成番組情報記憶部１０５８の番組情報データ表の（ｎ、ｔ）座標データのチャンネル番号が"０"か否かを判断する（Ｓ１３５８）。
【０２４７】
Ｓ１３５８の判断が真であれば、ｎのインクリメント処理（Ｓ１３５４）に戻り、偽であれば、合成番組情報記憶部１０５８の番組情報データ表の（ｎ、ｔ）座標データの放送開始番号が、Ｂタイマ１０６７から通知された時刻と等しいか否かを判断する（Ｓ１３５９）。偽であれば、ｎのインクリメント処理（Ｓ１３５４）に戻り、真であれば、番組情報データ表の（ｎ、ｔ）座標データに格納されているチャンネル番号を選局し（Ｓ１３６０）、処理を終了する（Ｓ１３６１）。
【０２４８】
各ＴＶ受信機１０１０ａ，１０１０ｂは、双方で視聴中の共通なＴＶ番組の放送終了後、そのままのチャンネルでは、双方で共通なＴＶ番組を視聴することができなくなる事を検知できる。その後、双方で視聴可能な他のＴＶ番組を探し、そのＴＶ番組に自動で選局切り替えを行うことが可能となる。従って、地上波放送などの、放送番組のチャンネル番号等、番組プログラムが異なる地域間で、視聴していた共通のＴＶ番組の放送終了後に共通視聴が不可能となる場合に、各視聴者が手操作で他の共通に視聴可能な番組を選局する手間を省くことができる。
【０２４９】
加えて、放送途中の番組でなく、ちょうど放送を開始する番組に、自動で選局切り替えを行うことが可能となり、より快適な視聴環境を視聴者に提供できる。
【０２５０】
なお、以上述べた実施形態においては、共通に選択できる番組としてチューナで選択できる番組を例に挙げて説明したが、本願発明の実施形態はこれに限るものではない。具体的には、記憶装置であるハードディスクに複数の番組の映像ストリームデータや音声ストリームデータを蓄積しておき、蓄積しておいた番組を選択対象とすることもできる。この場合は、双方の受信機のそれぞれに対応する記憶装置に蓄積している番組の情報をそれぞれ相手に送信し、共通に選択できる番組を判断するようにすればよい。またこの場合は、チャンネルを指定するのではなく、記憶装置内のアドレスなど、番組を再生するためのデータを指定するようにすればよい。またチューナで受信できる番組と、記憶装置に蓄積してある番組との両方を選択の対象としてもよい。
【０２５１】
また以上述べた実施形態においては、共通に選択できる番組を、番組情報を利用して確認する構成を示したが、例えば同じ地域に双方の受信機が存在したり、双方の受信機が同じケーブルテレビ局からの信号を受信しているなどによって、同じチャンネル、もしくは互いに対応するチャンネルを双方で選択すれば同じ番組が再生できる場合には、番組情報を参照して共通に選択できるか否かを判別する必要はなく、単にチャンネルの情報を相手側の受信機に送るだけで共通の番組を双方の受信機でそれぞれ選択して再生することが可能となる。ただしこの場合であっても、放送信号の受信状態やチューナの性能に依存して、特定のチャンネルについては一方の受信機では受信できるが、他方の受信機では受信できない場合もある。この場合は、それぞれが受信できるチャンネルの情報を互いに送信し、共通に受信できるチャンネルを選択の対象とするようにしてもよい。
【０２５２】
またここでいうチャンネルとは、互いに弁別可能なものであればよく、そのチャンネルが使用する搬送波の周波数によって区別されるものに限るものではない。
【０２５３】
以下では更に好適に連携再生ができる実施形態を説明する。
【０２５４】
以下で示す実施形態は、以下の構成を満たしている。すなわち、ネットワークを介して接続された第１及び第２のＴＶ受信装置を連携させるＴＶ連携システムであって、当該第１のＴＶ受信装置は、当該第１のＴＶ受信装置の視聴者の操作による制御信号を当該第２のＴＶ受信装置に送信する手段と、当該第２のＴＶ受信装置からの所定通知に従い、当該第１のＴＶ受信装置の視聴者の操作に応じた制御を実行する手段とを具備し、当該第２のＴＶ受信装置は、当該第１のＴＶ受信装置からの当該制御信号を受信する手段と、当該制御信号に応じた制御を当該第２のＴＶ受信装置の操作者に予告通知する手段と、当該制御信号に従い、当該制御信号に対応する特定の制御を実行する手段と、当該制御信号の受信を当該第２のＴＶ受信装置の操作者に通知したことを当該第１のＴＶ受信装置に通知する通知終了通知を当該所定通知として当該第１のＴＶ受信装置に送信する手段とを具備することを特徴とするＴＶ連携システムである。
【０２５５】
ここで、一例としては、第２のＴＶ受信装置が更に、当該制御信号に対応する特定の制御を実行する前に、当該制御信号の当該第２のＴＶ受信装置の操作者による同意を受け入れる手段と、当該同意の受け入れに応じて、当該制御信号に対応する特定の制御の実行と、当該制御信号の受信の、当該第２のＴＶ受信装置の操作者への通知を直ちに実行させる手段とを具備する。
【０２５６】
また第２のＴＶ受信装置が更に、当該制御信号に対応する特定の制御を実行する前に、当該制御信号の当該第２のＴＶ受信装置の操作者による拒絶を受け入れる手段と、当該拒絶の受け入れに応じて、当該制御信号に対応する特定の制御をキャンセルさせ、その旨を当該第２のＴＶ受信装置の操作者に通知させる手段とを具備し、
【０２５７】
当該第１のＴＶ受信装置は、当該第２のＴＶ受信装置から、当該制御信号に対応する特定の制御のキャンセルの通知を受信すると、当該第１のＴＶ受信装置の操作者に通知する手段を具備する。
【０２５８】
また当該第１及び第２のＴＶ受信装置はそれぞれ、表示画面上に情報通知用のアイコンを表示する構成を開示する。
【０２５９】
また当該第１及び第２のＴＶ受信装置はそれぞれ、付属するリモコン装置との間で双方向通信可能であり、当該リモコン装置は、所定の操作ボタンに対して照光手段を具備し、当該照光手段を当該予告通知に使用する構成を開示する。また当該リモコン装置が、視聴者への通知手段として利用可能な振動手段を具備する構成にすることもできる。
【０２６０】
また特定の制御の制御信号を発生させる為の操作ボタンを、ＴＶ電話機能に使用するカメラ装置の前面周囲に配置した構成や、特定の制御の制御信号を発生させる為の操作ボタンを、ＴＶ電話機能に使用するカメラ装置の前面撮影範囲内に配置した透明タッチパネル上にレイアウトされたボタンとする構成を開示する。
【０２６１】
また特定の制御が、チャンネル切り替え制御である構成を開示する。
【０２６２】
また制御信号を受信時、当該制御信号に基づくチャンネル切り替え後の放送番組を、制御実行前に別画面に表示する構成を開示する。
【０２６３】
以下更に具体的に述べる。
【実施例６】
【０２６４】
図５１は、本発明の一実施例で使用するＤＴＶ装置の構成図を示す。１０００１０１はＤＴＶ装置のモニタ画面、１０００１０２はカメラ装置、１０００１０３はリモコン装置、１０００１０４はＴＶ電話機能による自分のカメラ装置の確認用映像を表示する自映像表示子画面、１０００１０５はＴＶ電話機能による相手の映像を表示する相手映像表示子画面である。１０００１０６〜１０００１０９はＴＶ電話機能による相手の操作の予告を表示するアイコンであり、１０００１０６はチャンネルアップの操作予告のアイコン、１０００１０７はチャンネルダウンの操作予告のアイコン、１０００１０８はカメラ装置のパン動作の操作予告のアイコン、１０００１０９は、マイクのスイッチ動作の操作予告のアイコンである。
【０２６５】
図５２は、本実施例の全体構成を示す図であり、遠隔地にあるＤＴＶ装置同士がネットワークにより接続され、ＴＶ電話機能によるコミュニケーションを行いつつ、同時に同じ番組を視聴するシステムの構成を示す。ここで、１０００２０１は放送衛星、１０００２０２，１０００２０６は放送受信の為のパラボラアンテナ、１０００２０３，１０００２０７はＤＴＶ装置、１０００２０４，１０００２０８はカメラ装置、１０００２０９，１０００２１０はリモコン装置、１０００２０５はＤＴＶ装置１０００２０３，１０００２０７間で映像・音声・制御信号を伝送するネットワークである。
【０２６６】
図５３は、番組再生装置であるＤＴＶ装置２０３，２０７の概略構成ブロック図である。１０００３０１はデジタル放送電波を受信するアンテナ装置、１０００３０２はアンテナ１０００３０１により受信された電波を選局同調するチューナ装置であり選択回路を構成する。１０００３０３は選局された電波を復調し信号に変換する復調装置、１０００３０４は復調された信号からＴＳ信号を分離し、さらに個別の信号に分離する分離装置（ＤＥＭＵＸ）、１０００３０５は分離されたＴＳ信号から映像信号を復号化する映像デコーダ、１０００３０６はＴＳ信号から音声信号を復号化する音声デコーダ、１０００３０７は、ＴＳ信号からデータ放送及び字幕データを復号化するデータ放送／字幕デコーダである。
【０２６７】
１０００３０８はＤＴＶ装置本体の各種制御装置からの情報を表示するＯＳＤ（Ｏｎ  Ｓｃｒｅｅｎ  Ｄｉｓｐｌａｙ）回路、１０００３０９はＤＴＶ装置に搭載されている各種アプリケーション、１０００３１０はＤＴＶ装置内部で作成された各種映像情報を合成して出力する画像合成部、モニタ装置１０００３１１はＤＴＶ装置の表示画面を構成するための再生装置である。
【０２６８】
１０００３１２は、ＤＴＶ装置の各種制御の為のプログラム、アプリケーションのプログラム及び各種データを格納するＲＯＭ装置、１０００３１３はＤＴＶ装置の各種制御の為のプログラム、アプリケーションのプログラム及び各種データを必要持にロードし、アプリケーションを動作させる為のワークとなるＲＡＭ装置、１０００３１４はＤＴＶ装置の各種制御及びアプリケーションを実行する制御回路を構成するＣＰＵ装置である。
【０２６９】
１０００３１５はＤＴＶ装置と外部機器との通信を行う送信回路及び受信回路であるモデム装置、１０００３１６はＤＴＶ装置の限定受信動作を行う際の認証動作及び外部機器との各種情報のやり取りを行うためのＩＣカード装置、１０００３１７はＤＴＶ装置の各回路ブロック間で情報を伝達するバス、１０００３１８はＤＴＶ装置に接続された外部機器との画像データを含む高速なデータのやり取りを行うインターフェース、１０００３１９はリモコン装置からの信号を受信するリモコン受信部、１０００３２０は受信した各種のデータ、番組コンテンツ、及びＤＴＶ装置の情報を記録蓄積するＨＤＤ装置、１０００３２１はＤＴＶ装置の各種データを通電時以外にも記憶する不揮発性ＲＡＭである。
【０２７０】
１０００３２２はユーザが使用するリモコン装置、１０００３２３はモデム１０００３１５又はブリッジを介して接続する外部ネットワーク、１０００３２４はＤＴＶ装置でデコードされた番組コンテンツデータを携帯端末装置の視聴に適したストリームデータに変換するエンコーダ、１０００３２５は分離装置１０００３０４で分離されたストリームデータを同期させる同期制御回路、１０００３２６はカメラ装置である。
【０２７１】
図５４は、ＤＴＶ装置１０００２０３，１０００２０７間のユーザ操作とＤＴＶ装置１０００２０３，１０００２０７の動作の流れを示すシーケンス図である。図５４では、ＤＴＶ装置１０００２０３，１０００２０７の一方をＤＴＶ装置１０００１と表記し、他方をＤＴＶ装置１０００２と表記している。そして、１０００４０１はＤＴＶ装置１０００１のユーザ１０００１による操作を示し、１０００４０２はＤＴＶ装置１０００１の動作を示し、１０００４０３はＤＴＶ装置１０００２の動作を示し、１０００４０４はＤＴＶ装置１０００２のユーザ１０００２による操作を示す。
【０２７２】
１０００４０５はユーザ１０００１によるチャンネルアップボタン操作を示し、１０００４０６はＤＴＶ装置１０００１からＤＴＶ装置１０００２へと送られたチャンネルアップ制御信号、１０００４０７はＤＴＶ装置１０００２におけるチャンネルアップ動作の予告表示、１０００４０８はＤＴＶ装置１０００２におけるチャンネルアップ動作、１０００４０９はＤＴＶ装置１０００２からＤＴＶ装置１０００１へと送られる予告表示の終了信号、１０００４１０はＤＴＶ装置１０００１におけるチャンネルアップ動作をそれぞれ示す。
【０２７３】
図５５は、ＤＴＶ装置１の動作を示すフローチャートである。１０００５０１は、ＤＴＶ装置１０００１において操作連携制御を行う操作が行われた際の処理のエントリポイントである。１０００５０２は、操作が行われた操作連携制御が予告表示の必要があるか否かを判定するステップである。１０００５０３は、操作された制御信号をネットワーク接続されているＤＴＶ装置１０００２に送信するステップである。１０００５０４は、ＤＴＶ装置１０００２からの予告表示の終了信号を受信したか否かを判定するステップである。１０００５０５は、ＤＴＶ装置１０００２とのネットワーク接続が切断等によりタイムアウトしたか否かを判定するステップである。１０００５０６は、操作された制御信号を実行するステップである。１０００５０７は終了ポイントである。
【０２７４】
図５６は、ＤＴＶ装置１０００２の動作を示すフローチャートである。１０００６０１は、ＤＴＶ装置１０００２における操作連携の為の制御信号を受信した際の処理のエントリポイントである。１０００６０２は、受信した操作連携制御の信号が予告表示が必要であるか否かを判定するステップである。１０００６０３は、ＤＴＶ装置１０００２において、操作連携制御による予告表示動作を実行するステップである。１０００６０４は、予告表示動作の終了信号をＤＴＶ装置１０００１に送信するステップである。１０００６０５は、ＤＴＶ装置１０００２において操作連携制御による制御信号を実行するステップである。１０００６０６は終了ポイントである。
【０２７５】
図５１乃至図５６を参照して、本実施例の動作を具体的に説明する。いま、図５２に示すように、遠隔地にある２台のＤＴＶ装置１０００２０３，１０００２０７がネットワーク１０００２０５により接続され、ＴＶ電話機能及び操作連携制御機能により、互いにコミュニケーションを取りながら、同時に同じ番組コンテンツを視聴している。図５１は、ＤＴＶ装置１０００２０７（ＤＴＶ装置１０００２）を中心に図示したものであり、画面には、同時に視聴している番組コンテンツが表示され、その内の子画面１０００１０５には、ＴＶ電話機能によりＤＴＶ装置１０００２０３（ＤＴＶ装置１０００１）から送信されるＤＴＶ装置１０００２０３の視聴者ユーザ１０００１が表示され、子画面１０００１０４には、ＴＶ電話機能の確認用にＤＴＶ装置１０００２の視聴者ユーザ１０００２が表示される。即ち、ＤＴＶ装置１０００１の視聴者ユーザ１０００１及びＤＴＶ装置１０００２の視聴者ユーザ１０００２は、互いの映像をカメラ装置１０００２０４，１０００２０８で撮影し、その撮影映像をそれぞれの子画面表示で見ながら、また、カメラ装置１０００２０４，１０００２０８に付帯のマイク装置により互いの音声を聞きながら、同じ番組コンテンツをあたかも同じＤＴＶ装置で視聴しているが如く遠隔地で視聴を行っている状態である。
【０２７６】
この状態で、ＤＴＶ装置１０００２０３（ＤＴＶ装置１０００１）の視聴者ユーザ１０００１が、ＤＴＶ装置１０００２０７（ＤＴＶ装置１０００２）の視聴者ユーザ１０００２と同時に視聴中の番組コンテンツのチャンネルを変更する目的で、リモコン装置１０００３０９のチャンネルアップ操作を行ったとする。図５４は、この際のそれぞれの視聴者ユーザ１０００１とユーザ１０００２の操作及びＤＴＶ装置１０００１とＤＴＶ装置１０００２の動作を時間順に示す。また、ＤＴＶ装置１０００１において視聴者ユーザ１０００１の行った操作、即ちチャンネルアップ操作は、同時視聴を行っている状態において、相互の視聴中の番組コンテンツに影響を与える為の操作連携が必要な操作と識別され、図５５に示す操作連携制御信号処理がエントリポイント１０００５０１より開始される。
【０２７７】
ステップ１０００５０２では、操作連携が必要な操作とされているものの内で、同時視聴を行っている相手側に対して予告表示が必要な制御であるか否かが判定される。ここでは、同時視聴を行っている、即ち、相手が視聴中の番組コンテンツを一方的に変更する制御であるので、予告表示が必要となり、ステップ１０００５０３に進む。ステップ１０００５０３では、処理中の制御信号であるチャンネルアップ制御信号を、ＴＶ電話機能で接続されている情報パケットの一部を利用して、同時視聴を行っているＤＴＶ装置１０００２に送信する。これにより、図５４の制御信号のフロー１０００４０６が発生する。
【０２７８】
次に、ステップ１０００５０４では、ＤＴＶ装置１０００２からの予告表示終了信号を受信出来たか否かが判定される。受信出来ない場合は、ステップ１０００５０５に進む。ステップ１０００５０５では、ＴＶ電話機能で接続されている通信が何らかの原因によりタイムアウトしたか否かを判定する。接続が行われている間は、再び、ステップ１０００５０４に進み、予告表示の終了信号が受信出来るまでループする事になる。
【０２７９】
図５６は、図５４の制御信号１０００４０６をＤＴＶ装置１０００２が受信した際に、ＤＴＶ装置１０００２が行う処理の流れを示す。連携操作の為の制御信号を受信した際の処理がエントリポイント１０００６０１から開始される。ステップ１０００６０２では、送られた制御信号が予告表示の必要な信号かどうかが判定される。チャンネルアップの様に視聴者にとって影響がある制御信号の場合は、ステップ１０００６０３に進む。ステップ１０００６０３では、ＤＴＶ装置１０００２の視聴者ユーザ１０００２への表示画面を利用した予告表示動作が実行される。
【０２８０】
いま、ＤＴＶ装置１０００２の表示画面上でアイコン１０００１０６が反転状態で点滅し、これにより、ＤＴＶ装置１０００１のユーザ１０００１によるチャンネルアップの制御に対する予告がＤＴＶ装置１０００２のユーザ１０００２に通知されているとする。ＤＴＶ装置１０００２のユーザ１０００２は、アイコン１０００１０６の表示反転点滅により、ＤＴＶ装置１０００１のユーザ１０００１が操作連携を行う制御信号としてチャンネルアップ制御信号を送信したことを知ることができる。図５４の１０００４０７は、ＤＴＶ装置１０００２において、この予告表示を行っている状態を示す。この予告表示が、一定の時間、即ち１０００４０７に示す時間の間、実施された後、図５６のステップ１０００６０４に移り、ＤＴＶ装置１０００２は、ＤＴＶ装置１０００１に予告表示の終了信号を送信する。
【０２８１】
続いて、ステップ１０００６０５では、ＤＴＶ装置１０００２において、ＤＴＶ装置１０００１からの制御信号に従うチャンネルアップが実行され、次のステップ１０００６０６でＤＴＶ装置１０００２におけるチャンネルアップ動作が終了する。この一連の動きを、図５４の１０００４０９及び１０００４０８が示す。
【０２８２】
この後、ＤＴＶ装置１０００１は、ＤＴＶ装置１０００２から予告表示の終了信号を受信する。これにより、図５５のステップ１０００５０６に進み、ステップ１０００５０６では、ＤＴＶ装置１０００１でチャンネルアップが実行され、ステップ１０００５０７で終了する。
【０２８３】
以上、説明した様に、本実施例によれば、ＴＶ電話機能と操作連携機能を利用して、互いに遠隔地にいながら同じ番組を視聴する際、操作連携によりあたかも１台のＤＴＶ装置を利用してみているが如く、連帯感を持つことができる。ＴＶ電話機能だけでは把握しきれない、相手の操作する操作連携を伴うＤＴＶ装置の制御に際して、適切な予告表示が行われた後に実行が行われるので、安心感がある。即ち、突然、予期しない操作連携によるＤＴＶ装置の制御が実行される様な、連帯感を阻害する要因を排除できる。
【実施例７】
【０２８４】
第６実施例では、相手から操作連携による制御信号が送信され、自分のＤＴＶ装置の表示画面においてこの制御信号に伴う予告表示が開始された後、一定時間の経過後に、この制御信号が実行されるので、事前のＴＶ電話機能を利用したやり取りと相互の暗黙の了解などにより、相手の実行する操作連携を伴う制御信号について自分も了解済みの場合においても、やはり予告表示が開始された後、一定時間の経過を待ち、その後に、制御信号を実行する構成となっていた。第７実施例では、このような無駄な待機時間を省略できるようにした。
【０２８５】
図５７は、第７実施例におけるＤＴＶ装置１０００１，１０００２間の連係動作フローを示す。ＤＴＶ装置１０００１のユーザ１０００１が操作連携を伴うチャンネルアップの操作１０００７０５を行うと、チャンネルアップの制御信号１０００７０６がＤＴＶ装置１０００１からＤＴＶ装置１０００２に送信される。ＤＴＶ装置１０００２でチャンネルアップの予告表示１０００７０７が開始した後に、ＤＴＶ装置１０００２のユーザ１０００２による予告表示の制御信号に対する同意を表す操作、例えば、ＤＴＶ装置１０００２のリモコン装置によるチャンネルアップ操作、即ち、予告表示されている制御信号と同意の操作を行う。これにより、ＤＴＶ装置１０００２は、直ちに、予告表示の終了と制御の同意を示す信号１０００７１３をＤＴＶ装置１０００１に送信すると同時に、直ちに当該制御信号に対する動作、ここではチャンネルアップ制御１０００７１２を実行する。
【０２８６】
この様な構成にする事で、ＤＴＶ装置１０００２のユーザ１０００２が、ＤＴＶ装置１のユーザ１０００１による制御信号に対して同意の操作を行う事で、予告表示に予定された時間の経過を待たずに、迅速にＤＴＶ装置１０００１，１０００２の両方で当該制御信号を実行できるようになる。
【実施例８】
【０２８７】
本発明の第８実施例を説明する。図５８は、第８実施例におけるＤＴＶ装置１０００１，１０００２間の連係動作フローを示す。
【０２８８】
ＤＴＶ装置１０００１のユーザ１０００１により操作連携を伴うチャンネルアップの操作１０００８０５が行われと、ＤＴＶ装置１０００１は、チャンネルアップ制御信号１０００８０６をＤＴＶ装置１０００２に送信する。ＤＴＶ装置１０００２においてチャンネルアップの予告表示１０００８０７が開始された以降に、ＤＴＶ装置１０００２のユーザ１０００２が、予告表示がなされている制御信号に対する拒絶操作、例えば、ＤＴＶ装置１０００２のリモコン装置によるキャンセルボタンの操作、即ち、予告表示を行っている制御信号をキャンセルする意味の操作を行う。これにより、ＤＴＶ装置１０００２は、直ちに、予告終了信号に対する拒絶を表す拒絶信号１０００８１３をＤＴＶ装置１０００１に送信し、当該制御信号に対する動作、ここではチャンネルアップを行わない。ＤＴＶ装置１０００１は、ＤＴＶ装置１０００２からの拒絶信号を受信すると、ＤＴＶ装置１０００１のユーザ１０００１に対してユーザ１０００２のキャンセルを表示し、動作を終了する。
【０２８９】
この様な構成にする事で、ＤＴＶ装置１０００２のユーザ１０００２が、予告表示が行われているＤＴＶ装置１０００１のユーザ１０００１による制御信号に対して、その制御を拒絶したい場合に、キャンセル操作を行う事で、一定時間を要する予告表示の終了後に、当該予告表示の元となった制御信号を実行する事無しに、直ちに当該制御信号をキャンセル出来る。また、ＤＴＶ装置１０００１のユーザ１０００１に対しても、即座に予告終了信号に対する拒絶の信号を送る事により、キャンセル表示１０００８１３を直ちに表示できる。
【実施例９】
【０２９０】
第６乃至第８実施例では、操作連携の制御信号を受信した際に行う予告動作として、ＤＴＶ装置の表示画面上で、制御信号に対応するアイコンを点滅表示するとしたが、リモコン装置の対応する操作キーを点滅表示させてもよい。ただし、この場合には、ＤＴＶ装置とリモコン装置とに相互通信機能を持たせ、リモコン装置の所定の操作キーに発光手段を装備する必要がある。
【０２９１】
この様な構成とする事で、ＤＴＶ装置１０００１のユーザ１０００１によって操作された制御信号を操作連携機能によりＤＴＶ装置１０００２のユーザ１０００２に予告通知する際にも、ＤＴＶ装置１０００２のユーザ１０００２の所持するリモコン装置の、ユーザ１０００１による操作に対応すると機能のボタンが照光手段により点滅する事により、ＤＴＶ装置１０００１のユーザ１０００１が操作した制御信号の種類を、ユーザ１０００２がより明確に且つ直接的に知る事が出来る。また、操作連携を行い、且つ、予告表示が必要な制御信号について、より多くの種類が必要な場合においても、それぞれ該当するリモコン装置のボタンを個別に照光可能とする事で、ＤＴＶ装置の表示画面におけるアイコンのレイアウトの煩雑さを気にする事無く、確実に詳細な種別の予告表示を実現できる。
【０２９２】
さらに、第８実施例と組み合わせて、最初に操作連携を伴う操作を行ったユーザに対して、その操作がキャンセルされた事を示す為にリモコン装置の照光手段を用いてもよい。
【０２９３】
また、リモコン装置の特定の照光手段を持つボタンを点滅させただけでは、充分な予告表示とならない様な状況においては、その特定の照光手段を持つボタンとその他の全ての照光手段を持つボタンとを交互に点灯させるなど、様々な点灯パターンを用いて予告表示としても構わないのは言うまでもない。さらには、リモコン装置に携帯電話の無音着信通知などに利用されるバイブレータ手段等を併用する事で、リモコン装置のボタン部分に注意を払っていなくとも確実にユーザの注意を向けさせる事が可能である。
【実施例１０】
【０２９４】
第６乃至第９の実施例では、操作連携を行う為のリモコン装置への操作行為については、カメラ装置には明確に映らない事を前提としていたが、操作連携を行う為の操作ボタンを、ＴＶ電話機能に使用するカメラ装置の前面又は周囲に配置する構成としても良い。
【０２９５】
この様な構成とする事で、ＤＴＶ装置１０００１のユーザ１０００１による連携を伴う操作の様子が、ＤＴＶ装置１０００２の表示画面上に表示されている子画面に逐次表示される。即ち、ＤＴＶ装置１０００２のユーザ１０００２は、ＤＴＶ装置１０００１のユーザ１０００１の操作する様子、例えば、ユーザ１０００１の指などがＤＴＶ装置１０００１のカメラ装置に近づき、操作連携を伴う操作ボタンに対する操作を行っている様子を、ＤＴＶ装置１０００２の子画面上で確認できる。
【０２９６】
操作連携を伴う操作ボタンのカメラ装置に対する位置と対応する子画面の周囲の位置に、操作連携を伴う制御に対する予告表示を行うアイコンを配置しておく事で、実際に操作連携を伴う制御をＤＴＶ装置１０００１のユーザ１０００１が実行する以前に、ＤＴＶ装置１０００２のユーザ１０００２は、どの様な制御を行おうとしているかが類推可能となる。
【実施例１１】
【０２９７】
第１１実施例では、操作連携を行う為の操作ボタンを、ＴＶ電話機能に使用するカメラ装置の前面又は周囲に配置する構成としたが、操作連携の操作ボタンを、カメラ装置の前面に配置した透明タッチパネル上にレイアウトされたボタンとし、当該カメラ装置の映像を表示する相手側のＤＴＶ装置の子画面上でこの透明タッチパネル上にレイアウトされたボタン位置までを表示すると共に、当該子画面上の画面内の撮影されたボタンの位置の上に、操作連携を伴う制御に対する予告表示を行うアイコンを重ね合わせて表示する構成にしても良い。
【０２９８】
この様な構成とする事で、ＤＴＶ装置１０００１のユーザ１０００１による連携の操作について、ＤＴＶ装置１０００２の表示画面上の子画面に、その経過と、操作連携を伴う操作ボタンに対する操作行為がそのまま表示され、この結果、ＤＴＶ装置１０００２のユーザ１０００２は、ＤＴＶ装置１０００１のユーザ１０００１が連携を伴う操作を開始しようとしている様子から、子画面の周囲の特定の方向に操作を開始しようとしていることを確認出来る、さらには、実際の操作ボタンに対する操作行為、も確認できる。
【実施例１２】
【０２９９】
第８実施例を以下のように変更してもよい。即ち、チューナ１０００３０２は、２つの放送番組を選局・同調可能である。
【０３００】
図５９に示す様に、ＤＴＶ装置１０００１のユーザ１０００１より操作連携を伴うチャンネルアップの操作１０００８０５が行われ、チャンネルアップの制御信号１０００８０６がＤＴＶ装置１０００１よりＤＴＶ装置１０００２に送信される。次に、ＤＴＶ装置においてチャンネルアップの予告表示１０００８０７が行われる。この予告表示期間中、ＤＴＶ装置１０００２のチューナ１０００３０２は、チャンネルアップ時の放送番組を選局し、その番組を図６０に示すように予告チャンネル画面１０００９０１に表示する。
【０３０１】
以上の様な構成にする事で、ＤＴＶ装置１０００２のユーザ１０００２は、ＤＴＶ装置１０００１のユーザ１０００１による操作の予告表示時、チャンネル切り替え後に表示される放送番組を同時に確認することができるので、チャンネル切り替えの同意又は拒絶の判断が容易となる。
上述した各実施例を組み合わせることで、個々の実施例の作用効果を包括的に具備する構成を実現できることは明らかである。
【図面の簡単な説明】
【０３０２】
【図１】本発明の第１実施例に係るＴＶ受信機システムの構成図である。
【図２】リモコン２２ａ，２２ｂの平面図である。
【図３】ＴＶ受信機１０ａ，１０ｂの本体４０の概略構成ブロック図である。
【図４】送信用番組情報記憶部５６に記憶される番組情報データ列の一例である。
【図５】受信用番組情報記憶部６４に記憶される番組情報データ列の一例である。
【図６】合成番組情報記憶部５８に記憶される番組情報データ列の一例である。
【図７】実施例１のＴＶ受信機間の処理シーケンスの一例である。
【図８】実施例１での表示例である。
【図９】実施例１での別の番組視聴時の表示例である。
【図１０】実施例１において、ユーザが電源オンの後に初めて同時視聴開始キー３４を押した時、及びタイマ６６からタイマ終了の通知を受けた時に、ＴＶ受信機１０ａの制御部７４が行う処理を示すフローチャートである。
【図１１】実施例１において、マスター立候補要求を受信した後にＴＶ受信機１０ｂの制御部７４が行う処理を示すフローチャートである。
【図１２】実施例１で、制御部７４が実行する合成処理（Ｓ２１４，Ｓ２３２）を示すフローチャートである。
【図１３】実施例１において、少なくとも片方のＴＶ受信機１０ａ又は１０ｂにおいて同時視聴開始キー３４が押された後にチャンネル・アップ／ダウンキー３０，３２が押された時に、制御部７４が実行する処理を示すフローチャートである。
【図１４】実施例２で、送信用番組情報記憶部５６に記憶される番組情報データ列の一例である。
【図１５】実施例２で、受信用番組情報記憶部６４に記憶される番組情報データ列の一例である。
【図１６】実施例２で、合成番組情報記憶部５８に記憶される番組情報データ列の一例である。
【図１７】実施例２での表示例である。
【図１８】実施例２での別の番組視聴時の表示例である。
【図１９】実施例２において、制御部７４による合成処理（Ｓ２１４，Ｓ２３２）を示すフローチャートである。
【図２０】実施例２において、少なくとも片方のＴＶ受信機において同時視聴開始キー３４が押された後にチャンネル・アップ／ダウンキー３０、３２が押された時に、制御部７４が行う処理を示すフローチャートである。
【図２１】実施例３で、送信用番組情報記憶部５６に記憶される番組情報データ列の一例である。
【図２２】実施例３で、受信用番組情報記憶部６４に記憶される番組情報データ列の一例である。
【図２３】実施例３で、合成番組情報記憶部５８に記憶される番組情報データ列の一例である。
【図２４】実施例３で、相手ＴＶ受信機の合成番組情報記憶部５８に記憶される番組情報データ列の一例である。
【図２５】実施例３のＴＶ受信機間の処理シーケンスの一例である。
【図２６】実施例３での表示例である。
【図２７】実施例３での別の番組視聴時の表示例である。
【図２８】実施例３で、制御部７４が行う合成処理Ｓ２１４，Ｓ２３２を示すフローチャートである。
【図２９】実施例３で、少なくとも片方のＴＶ受信機において同時視聴開始キー３４が押された後にテンキー３６を押した時に制御部７４が行う処理を示すフローチャートである。
【図３０】実施例３で、通信部６２からチャンネル番号を受信した時に制御部７４が行う処理を示すフローチャートである。
【図３１】実施例４に係るＴＶ受信機システムの概略構成図である。
【図３２】リモコン１０２２ａ，１０２２ｂの平面図を示す。
【図３３】ＴＶ受信機１０１０ａ，１０１０ｂの概略構成ブロック図である。
【図３４】実施例４で、送信用番組情報記憶部５６に記憶される番組情報データ列の一例である。
【図３５】実施例４で、受信用番組情報記憶部６４に記憶される番組情報データ列の一例である。
【図３６】実施例４で、合成番組情報記憶部５８に記憶される番組情報データ列の一例である。
【図３７】実施例４のＴＶ受信機間の処理シーケンスの一例である。
【図３８】実施例４での表示例である。
【図３９】実施例４での別の番組視聴時の表示例である。
【図４０】実施例４で、ユーザが、電源オンの後に初めて同時視聴開始キー１０３４を押した時、及びタイマ１０６６からタイマ終了の通知を受けた時の、ＴＶ受信機１０１０ａ，１０１０ｂの制御部１０７４が行う処理を示すフローチャートである。
【図４１】実施例４において、マスター立候補要求を受信した後にＴＶ受信機１０１０ａ，１０１０ｂの制御部１０７４が行う処理を示すフローチャートである。
【図４２】実施例４で、制御部１０７４が行う合成処理Ｓ１１１６，Ｓ１１１８を示すフローチャートである。
【図４３】実施例４で、Ｂタイマ１０６７から時間経過（時刻）通知を受けた後、合成番組情報記憶部１０５８の番組情報データ表の参照先を、時間軸方向に１単位分インクリメントした後に開始する、各ＴＶ受信機の自動選局処理を示すフローチャートである。
【図４４】実施例５で、送信用番組情報記憶部１０５６に記憶される番組情報データ列の一例である。
【図４５】実施例５で、受信用番組情報記憶部１０６４に記憶される番組情報データ列の一例である。
【図４６】実施例５で、合成番組情報記憶部１０５８に記憶される番組情報データ列の一例である。
【図４７】実施例５での表示例である。
【図４８】実施例５での別の番組視聴時の表示例である。
【図４９】実施例５における合成処理（Ｓ１１１６，Ｓ１１１８）を示すフローチャートである。
【図５０】Ｂタイマ１０６７から時間経過（時刻）通知を受けた後、合成番組情報記憶部１０５８の番組情報データ表の参照先を時間軸方向に１単位分インクリメントし、その後に開始する各ＴＶ受信機１０１０ａ，１０１０ｂの自動選局処理を示すフローチャートである。
【図５１】本発明の一実施例で使用するＤＴＶ装置の構成図である。
【図５２】本実施例の全体構成を示す図である。
【図５３】ＤＴＶ装置１０００２０３，１０００２０７の概略構成ブロック図である。
【図５４】ＤＴＶ装置１０００２０３，１０００２０７間のユーザ操作とＤＴＶ装置１０００２０３，１０００２０７の動作の流れを示すシーケンス図である。
【図５５】ＤＴＶ装置１０００１の動作を示すフローチャートである。
【図５６】ＤＴＶ装置１０００２の動作を示すフローチャートである。
【図５７】第７実施例におけるＤＴＶ装置１０００１，１０００２間の連係動作フローを示す。
【図５８】第８実施例におけるＤＴＶ装置１０００１，１０００２間の連係動作フローを示す。
【図５９】第１２実施例におけるＤＴＶ装置１０００１，１０００２間の連係動作フローを示す。
【図６０】第１２実施例における画面例である。
【符号の説明】
【０３０３】
１０ａ，１０ｂ：ＴＶ受信機
１２：インターネット
１４ａ，１４ｂ：ビデオカメラ
１６ａ，１６ｂ：相手視聴者映像表示子画面
１８ａ，１８ｂ：ＴＶ放送番組視聴画面
２０ａ，２０ｂ：アンテナ
２２ａ，２２ｂ：リモコン
３０：チャンネル・アップキー
３２：チャンネル・ダウンキー
３４：同時視聴開始キー
３６：テンキー
４０：ＴＶ受信機１０ａ，１０ｂの本体
４２：アンテナ端子
４４：信号処理部
４６：音声合成部
４８：音声出力部
５０：画像合成部
５２：表示部
５４：ＳＩ情報記憶部
５６：送信用番組情報記憶部
５８：合成番組情報記憶部
６０：復号化部
６２：通信部
６４：受信用番組情報記憶部
６６：タイマ
６８：符号化部
７０：カメラ映像音声入力部
７２：リモコン受信部
７４：制御部
１０１０ａ，１０１０ｂ：ＴＶ受信機
１０１２：インターネット
１０１４ａ，１０１４ｂ：ビデオカメラ
１０１６ａ，１０１６ｂ：相手視聴者映像表示子画面
１０１８ａ，１０１８ｂ：ＴＶ放送番組視聴画面
１０２０ａ，１０２０ｂ：アンテナ
１０２２ａ，１０２２ｂ：リモコン
１０３０：チャンネル・アップキー
１０３２：チャンネル・ダウンキー
１０３４：同時視聴開始キー
１０３６：テンキー
１０４０：ＴＶ受信機１０１０ａ，１０１０ｂの本体
１０４２：アンテナ端子
１０４４：信号処理部
１０４６：音声合成部
１０４８：音声出力部
１０５０：画像合成部
１０５２：表示部
１０５４：ＳＩ情報記憶部
１０５６：送信用番組情報記憶部
１０５８：合成番組情報記憶部
１０６０：復号化部
１０６２：通信部
１０６４：受信用番組情報記憶部
１０６６：Ａタイマ
１０６７：Ｂタイマ
１０６８：符号化部
１０７０：カメラ映像音声入力部
１０７２：リモコン受信部
１０７４：制御部
【図１】
2005198257.tif 000003
【図２】
2005198257.tif 000004
【図３】
2005198257.tif 000005
【図４】
2005198257.tif 000006
【図５】
2005198257.tif 000007
【図６】
2005198257.tif 000008
【図７】
2005198257.tif 000009
【図８】
2005198257.tif 000010
【図９】
2005198257.tif 000011
【図１０】
2005198257.tif 000012
【図１１】
2005198257.tif 000013
【図１２】
2005198257.tif 000014
【図１３】
2005198257.tif 000015
【図１４】
2005198257.tif 000016
【図１５】
2005198257.tif 000017
【図１６】
2005198257.tif 000018
【図１７】
2005198257.tif 000019
【図１８】
2005198257.tif 000020
【図１９】
2005198257.tif 000021
【図２０】
2005198257.tif 000022
【図２１】
2005198257.tif 000023
【図２２】
2005198257.tif 000024
【図２３】
2005198257.tif 000025
【図２４】
2005198257.tif 000026
【図２５】
2005198257.tif 000027
【図２６】
2005198257.tif 000028
【図２７】
2005198257.tif 000029
【図２８】
2005198257.tif 000030
【図２９】
2005198257.tif 000031
【図３０】
2005198257.tif 000032
【図３１】
2005198257.tif 000033
【図３２】
2005198257.tif 000034
【図３３】
2005198257.tif 000035
【図３４】
2005198257.tif 000036
【図３５】
2005198257.tif 000037
【図３６】
2005198257.tif 000038
【図３７】
2005198257.tif 000039
【図３８】
2005198257.tif 000040
【図３９】
2005198257.tif 000041
【図４０】
2005198257.tif 000042
【図４１】
2005198257.tif 000043
【図４２】
2005198257.tif 000044
【図４３】
2005198257.tif 000045
【図４４】
2005198257.tif 000046
【図４５】
2005198257.tif 000047
【図４６】
2005198257.tif 000048
【図４７】
2005198257.tif 000049
【図４８】
2005198257.tif 000050
【図４９】
2005198257.tif 000051
【図５０】
2005198257.tif 000052
【図５１】
2005198257.tif 000053
【図５２】
2005198257.tif 000054
【図５３】
2005198257.tif 000055
【図５４】
2005198257.tif 000056
【図５５】
2005198257.tif 000057
【図５６】
2005198257.tif 000058
【図５７】
2005198257.tif 000059
【図５８】
2005198257.tif 000060
【図５９】
2005198257.tif 000061
【図６０】
2005198257.tif 000062